(57)【要約】      （修正有）【課題】ＣＡ（Ｃａｒｒｉｅｒ  Ａｇｇｒｅｇａｔｉｏｎ）無線通信システムにおいて端末がＨＡＲＱ−ＡＣＫ（ｈｙｂｒｉｄ  ａｕｔｏｍａｔｉｃ  ｒｅｐｅａｔ  ｒｅｑｕｅｓｔ）を送信する方法を提供する。【解決手段】端末は、複数セルを介して第１／第２ＤＡＩ(Ｄｏｗｎｌｉｎｋ  Ａｓｓｉｇｎｍｅｎｔ  Ｉｎｄｅｘ）を含む１以上の第１ＰＤＣＣＨ（Ｐｈｙｓｉｃａｌ  Ｄｏｗｎｌｉｎｋ  Ｃｏｎｔｒｏｌ  Ｃｈａｎｎｅｌ）を受信する。第１ＰＤＣＣＨに基づく下りデータのためのＨＡＲＱ−ＡＣＫペイロードを、第１／第２ＤＡＩに基づいて送信する。第１ＤＡＩは、下りリンクスケジューリングのカウンター値に関連し、第２ＤＡＩは、現在のＰＤＣＣモニタリング時間までの複数セルに渡る下りリンクスケジューリングの総数に関連する。【選択図】図１９
2020074508.tif 000002
【特許請求の範囲】
【請求項１】
ＣＡ（ｃａｒｒｉｅｒ  ａｇｇｒｅｇａｔｉｏｎ）無線通信システムにおいてＵＥ（ｕｓｅｒ  ｅｑｕｉｐｍｅｎｔ）によってＨＡＲＱ−ＡＣＫ（ｈｙｂｒｉｄ  ａｕｔｏｍａｔｉｃ  ｒｅｐｅａｔ  ｒｅｑｕｅｓｔ）ペイロードを送信する方法であって、前記方法は、
複数のセルを介して下りリンクスケジューリングのための一つ以上の第１ＰＤＣＣＨ（ｐｈｙｓｉｃａｌ  ｄｏｗｎｌｉｎｋ  ｃｏｎｔｒｏｌ  ｃｈａｎｎｅｌ）をＰＤＣＣＨモニタリング時間のセット内において受信することであって、前記一つ以上の第１ＰＤＣＣＨの各々は、第１ＤＡＩ（ｄｏｗｎｌｉｎｋ  ａｓｓｉｇｎｍｅｎｔ  ｉｎｄｅｘ）及び第２ＤＡＩを含む、ことと、
前記一つ以上の第１ＰＤＣＣＨに基づいて一つ以上の下りリンクデータを受信することと、
前記第１及び第２ＤＡＩに基づいて、前記下りリンクデータのためのＨＡＲＱ−ＡＣＫ情報を含む前記ＨＡＲＱ−ＡＣＫペイロードを送信することと
を含み、
各第１ＰＤＣＣＨの前記第１ＤＡＩは、下りリンクスケジューリングのカウンター値に関連し、前記カウンター値は、セルに関連するインデックスを増加させ、次いで、前記ＰＤＣＣＨモニタリング時間のセット内のＰＤＣＣＨモニタリング時間に関連するインデックスを増加させる順番で計数され、
各第１ＰＤＣＣＨの前記第２ＤＡＩは、前記ＰＤＣＣＨモニタリング時間のセット内の現在のＰＤＣＣＨモニタリング時間までの前記複数のセルにわたる下りリンクスケジューリングの総数に関連し、前記総数は、ＰＤＣＣＨモニタリング時間毎に更新される、方法。
【請求項２】
同一のＰＤＣＣＨモニタリング時間と関連する複数の第２ＤＡＩは、対応する第１ＰＤＣＣＨにおいて同一の値を有する、請求項１に記載の方法。
【請求項３】
前記カウンター値は、｛セル，ＰＤＣＣＨモニタリング時間｝対の単位で計数される、請求項１に記載の方法。
【請求項４】
前記第１ＰＤＣＣＨは、前記ＰＤＣＣＨモニタリング時間のセット内のＵＳＳ（ＵＥ−ｓｐｅｃｉｆｉｃ  ｓｅａｒｃｈ  ｓｐａｃｅ）において受信される、請求項１に記載の方法。
【請求項５】
第２ＰＤＣＣＨを前記時間区間のセット内のＣＳＳ（ｃｏｍｍｏｎ  ｓｅａｒｃｈ  ｓｐａｃｅ）において受信することをさらに含み、前記第２ＰＤＣＣＨは、前記第１ＤＡＩを含むが、前記第２ＤＡＩを含まない、請求項４に記載の方法。
【請求項６】
ＳＰＳ解除（ｓｅｍｉ−ｐｅｒｓｉｓｔｅｎｔ  ｓｃｈｅｄｕｌｉｎｇ  ｒｅｌｅａｓｅ）を指示するＰＤＣＣＨを受信することをさらに含み、
前記ＨＡＲＱ−ＡＣＫペイロードは、前記ＳＰＳ解除を指示する前記ＰＤＣＣＨに対するＨＡＲＱ−ＡＣＫ応答をさらに含む、請求項１に記載の方法。
【請求項７】
前記ＰＤＣＣＨモニタリング時間のセットは、スロット又はサブフレームのバンドリングウィンドウを含む、請求項１に記載の方法。
【請求項８】
前記ＰＤＣＣＨモニタリング時間のセットは、サブフレーム（ＳＦ）＃ｎ−ｋからなり、前記ＨＡＲＱ−ＡＣＫペイロードは、ＳＦ＃ｎにおいて送信され、
Ｋ：｛ｋ０、ｋ１、…ｋＭ−１｝は下記のようにセル毎に与えられる
【表１】
2020074508.tif 000023
、請求項７に記載の方法。
【請求項９】
ＣＡ（ｃａｒｒｉｅｒ  ａｇｇｒｅｇａｔｉｏｎ）無線通信システムにおいてＨＡＲＱ−ＡＣＫ（ｈｙｂｒｉｄ  ａｕｔｏｍａｔｉｃ  ｒｅｐｅａｔ  ｒｅｑｕｅｓｔ）ペイロードを送信するように構成されたＵＥ（ｕｓｅｒ  ｅｑｕｉｐｍｅｎｔ）であって、前記ＵＥは、
無線周波数（ＲＦ）ユニットと、
プロセッサと
を含み、前記プロセッサは、
複数のセルを介して下りリンクスケジューリングのための一つ以上の第１ＰＤＣＣＨ（ｐｈｙｓｉｃａｌ  ｄｏｗｎｌｉｎｋ  ｃｏｎｔｒｏｌ  ｃｈａｎｎｅｌ）をＰＤＣＣＨモニタリング時間のセット内において受信することであって、前記一つ以上の第１ＰＤＣＣＨの各々は、第１ＤＡＩ（ｄｏｗｎｌｉｎｋ  ａｓｓｉｇｎｍｅｎｔ  ｉｎｄｅｘ）及び第２ＤＡＩを含む、ことと、
前記一つ以上の第１ＰＤＣＣＨに基づいて一つ以上の下りリンクデータを受信することと、
前記第１及び第２ＤＡＩに基づいて、前記一つ以上の下りリンクデータのためのＨＡＲＱ−ＡＣＫ情報を含む前記ＨＡＲＱ−ＡＣＫペイロードを送信することと
を行うように構成され、
各第１ＰＤＣＣＨの前記第１ＤＡＩは、下りリンクスケジューリングのカウンター値に関連し、前記カウンター値は、セルに関連するインデックスを増加させ、次いで、前記ＰＤＣＣＨモニタリング時間のセット内のＰＤＣＣＨモニタリング時間に関連するインデックスを増加させる順番で計数され、
各第１ＰＤＣＣＨの前記第２ＤＡＩは、前記ＰＤＣＣＨモニタリング時間のセット内の現在のＰＤＣＣＨモニタリング時間までの前記複数のセルにわたる下りリンクスケジューリングの総数に関連し、前記総数は、ＰＤＣＣＨモニタリング時間毎に更新される、ＵＥ。
【請求項１０】
同一のＰＤＣＣＨモニタリング時間と関連する複数の第２ＤＡＩは、対応する第１ＰＤＣＣＨにおいて同一の値を有する、請求項９に記載のＵＥ。
【請求項１１】
前記カウンター値は、｛セル，ＰＤＣＣＨモニタリング時間｝対の単位で計数される、請求項９に記載のＵＥ。
【請求項１２】
前記第１ＰＤＣＣＨは、前記ＰＤＣＣＨモニタリング時間のセット内のＵＳＳ（ＵＥ−ｓｐｅｃｉｆｉｃ  ｓｅａｒｃｈ  ｓｐａｃｅ）において受信される、請求項９に記載のＵＥ。
【請求項１３】
前記プロセッサは、第２ＰＤＣＣＨを前記時間区間のセット内のＣＳＳ（ｃｏｍｍｏｎ  ｓｅａｒｃｈ  ｓｐａｃｅ）において受信するようにさらに構成され、前記第２ＰＤＣＣＨは、前記第２ＤＡＩを含まない、請求項１２に記載のＵＥ。
【請求項１４】
前記プロセッサは、ＳＰＳ解除（ｓｅｍｉ−ｐｅｒｓｉｓｔｅｎｔ  ｓｃｈｅｄｕｌｉｎｇ  ｒｅｌｅａｓｅ）を指示するＰＤＣＣＨを受信するようにさらに構成され、
前記ＨＡＲＱ−ＡＣＫペイロードは、前記ＳＰＳ解除を指示する前記ＰＤＣＣＨに対するＨＡＲＱ−ＡＣＫ応答をさらに含む、請求項９に記載のＵＥ。
【請求項１５】
前記ＰＤＣＣＨモニタリング時間のセットは、スロット又はサブフレームのバンドリングウィンドウを含む、請求項９に記載のＵＥ。
【請求項１６】
前記ＰＤＣＣＨモニタリング時間のセットは、サブフレーム（ＳＦ）＃ｎ−ｋからなり、前記ＨＡＲＱ−ＡＣＫペイロードは、ＳＦ＃ｎにおいて送信され、
Ｋ：｛ｋ０、ｋ１、…ｋＭ−１｝は下記のようにセル毎に与えられる
【表２】
2020074508.tif 000024
請求項９に記載のＵＥ。
【発明の詳細な説明】
【技術分野】
【０００１】
本発明は無線通信システムに関するもので、より詳しくは信号を送信／受信する方法及び装置に関するものである。無線通信システムはキャリアアグリゲーション（Ｃａｒｒｉｅｒ  Ａｇｇｒｅｇａｔｉｏｎ、ＣＡ）を支援することができる。
【背景技術】
【０００２】
無線通信システムが、音声やデータ等のような多様な種類の通信サービスを提供するために広範囲に展開されている。一般に、無線通信システムは、利用可能なシステムリソース（帯域幅、送信パワーなど）を共有して多重ユーザとの通信を支援することができる多重アクセス（Ｍｕｌｔｉｐｌｅ  ａｃｃｅｓｓ）システムである。多重アクセスシステムの例としては、ＣＤＭＡ（ｃｏｄｅ  ｄｉｖｉｓｉｏｎ  Ｍｕｌｔｉｐｌｅ  ａｃｃｅｓｓ）システム、ＦＤＭＡ（ｆｒｅｑｕｅｎｃｙ  ｄｉｖｉｓｉｏｎ  Ｍｕｌｔｉｐｌｅ  ａｃｃｅｓｓ）システム、ＴＤＭＡ（ｔｉｍｅ  ｄｉｖｉｓｉｏｎ  Ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  Ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  Ｍｕｌｔｉｐｌｅ  ａｃｃｅｓｓ）システムなどがある。
【発明の概要】
【発明が解決しようとする課題】
【０００３】
本発明の目的は、無線通信システムにおいて信号を効率的に送信／受信する方法及びそのための装置を提供することにある。本発明の他の目的は、上りリンク信号の送信を効率的に制御する方法及びそのための装置を提供することにある。
【０００４】
本発明で達成しようとする技術的課題は、上述した技術的課題に制限されず、言及していない他の技術的課題は、下記の記載から、本発明の属する技術分野における通常の知識を有する者には明確に理解されるであろう。
【課題を解決するための手段】
【０００５】
本発明の一態様において、ＣＡ（Ｃａｒｒｉｅｒ  Ａｇｇｒｅｇａｔｉｏｎ）無線通信システムにおいて端末がＨＡＲＱ−ＡＣＫ（ｈｙｂｒｉｄ  ａｕｔｏｍａｔｉｃ  ｒｅｐｅａｔ  ｒｅｑｕｅｓｔ）を送信する方法であって、第１ＤＡＩ（Ｄｏｗｎｌｉｎｋ  Ａｓｓｉｇｎｍｅｎｔ  Ｉｎｄｅｘ）及び第２ＤＡＩを含む第１ＰＤＣＣＨ（ｐｈｙｓｉｃａｌ  ｄｏｗｎｌｉｎｋ  ｃｏｎｔｒｏｌ  ｃｈａｎｎｅｌ）をＳＦ（ｓｕｂｆｒａｍｅ）＃ｎ−ｋ内で受信する段階；前記第１ＤＡＩ及び第２ＤＡＩを用いてＨＡＲＱ−ＡＣＫペイロードを構成する段階；及び前記ＨＡＲＱ−ＡＣＫペイロードをＳＦ＃ｎに送信する段階を含み、前記第１ＤＡＩの値はＳＦ＃ｎ−ｋで前記第１ＰＤＣＣＨと関連するセル／ＳＦ単位のスケジューリング順序値を示し、前記セル／ＳＦ単位のスケジューリング順序値はセル／ＳＦドメインでセル優先方式で計数され、前記第２ＤＡＩの値は、各ＳＦでＤＧ（ｄｏｗｎｌｉｎｋ  ｇｒａｎｔ）ＤＣＩ（ｄｏｗｎｌｉｎｋ  ｃｏｎｔｒｏｌ  ｉｎｆｏｒｍａｔｉｏｎ）によって前記端末にスケジュールされたセルの数を前記ＳＦ＃ｎ−ｋ（ｋ∈Ｋ）内で最初のＳＦから前記第１ＰＤＣＣＨが受信されたＳＦまで累積した値に対応し、各セルにおいて、Ｋ：｛ｋ０、ｋ１、…ｋＭ−１｝は下記のように与えられる方法が提供される。
【０００６】
【化１】
2020074508.tif 000003
【０００７】
本発明の他の態様において、ＣＡ（Ｃａｒｒｉｅｒ  Ａｇｇｒｅｇａｔｉｏｎ）無線通信システムにおいてＨＡＲＱ−ＡＣＫ（ｈｙｂｒｉｄ  ａｕｔｏｍａｔｉｃ  ｒｅｐｅａｔ  ｒｅｑｕｅｓｔ）を送信するように構成された端末であって、無線周波数（Ｒａｄｉｏ  Ｆｒｅｑｕｅｎｃｙ、ＲＦ）ユニット；及びプロセッサを含み、前記プロセッサは、第１ＤＡＩ（Ｄｏｗｎｌｉｎｋ  Ａｓｓｉｇｎｍｅｎｔ  Ｉｎｄｅｘ）及び第２ＤＡＩを含む第１ＰＤＣＣＨ（ｐｈｙｓｉｃａｌ  ｄｏｗｎｌｉｎｋ  ｃｏｎｔｒｏｌ  ｃｈａｎｎｅｌ）をＳＦ（ｓｕｂｆｒａｍｅ）＃ｎ−ｋ内で受信し、前記第１ＤＡＩ及び第２ＤＡＩを用いてＨＡＲＱ−ＡＣＫペイロードを構成し、及び前記ＨＡＲＱ−ＡＣＫペイロードをＳＦ＃ｎで送信するように構成され、前記第１ＤＡＩの値はＳＦ＃ｎ−ｋで前記第１ＰＤＣＣＨと関連するセル／ＳＦ単位のスケジューリング順序値を示し、前記セル／ＳＦ単位のスケジューリング順序値はセル／ＳＦドメインでセル優先方式で計数され、前記第２ＤＡＩの値は各ＳＦでＤＧ（ｄｏｗｎｌｉｎｋ  ｇｒａｎｔ）ＤＣＩ（ｄｏｗｎｌｉｎｋ  ｃｏｎｔｒｏｌ  ｉｎｆｏｒｍａｔｉｏｎ）によって前記端末にスケジュールされたセルの数を前記ＳＦ＃ｎ−ｋ（ｋ∈Ｋ）内で最初のＳＦから前記第１ＰＤＣＣＨが受信されたＳＦまで累積した値に対応し、各セルで、Ｋ：｛ｋ０、ｋ１、…ｋＭ−１｝は下記のように与えられる端末が提供される。
【０００８】
【化２】
2020074508.tif 000004
【０００９】
好ましくは、前記第１ＰＤＣＣＨは前記ＳＦ＃ｎ−ｋのＵＳＳ（ＵＥ−ｓｐｅｃｉｆｉｃ  ｓｅａｒｃｈ  ｓｐａｃｅ）で受信されることができる。
【００１０】
好ましくは、前記ＳＦ＃ｎ−ｋのＣＳＳ（ｃｏｍｍｏｎ  ｓｅａｒｃｈ  ｓｐａｃｅ）で第２ＰＤＣＣＨを受信する段階をさらに含んでもよく、前記第２ＰＤＣＣＨには前記第２ＤＡＩが含まれなくてもよい。
【００１１】
好ましくは、前記第１ＰＤＣＣＨは、（ｉ）ＰＤＳＣＨ（ｐｈｙｓｉｃａｌ  ｄｏｗｎｌｉｎｋ  ｓｈａｒｅｄ  ｃｈａｎｎｅｌ）をスケジュールするＰＤＣＣＨ又は（ｉｉ）ＳＰＳ解除（ｓｅｍｉ−ｐｅｒｓｉｓｔｅｎｔ  ｓｃｈｅｄｕｌｉｎｇ  ｒｅｌｅａｓｅ）を指示するＰＤＣＣＨであってもよい。
【００１２】
好ましくは、前記ＨＡＲＱ−ＡＣＫペイロードは前記ＰＤＳＣＨに対するＨＡＲＱ−ＡＣＫ応答又は前記ＳＰＳ解除を指示するＰＤＣＣＨに対するＨＡＲＱ−ＡＣＫ応答を含むことができる。
例えば、本願は以下の項目を提供する。
（項目１）
ＣＡ（Ｃａｒｒｉｅｒ  Ａｇｇｒｅｇａｔｉｏｎ）無線通信システムにおいて端末がＨＡＲＱ−ＡＣＫ（ｈｙｂｒｉｄ  ａｕｔｏｍａｔｉｃ  ｒｅｐｅａｔ  ｒｅｑｕｅｓｔ）を送信する方法であって、
第１ＤＡＩ（Ｄｏｗｎｌｉｎｋ  Ａｓｓｉｇｎｍｅｎｔ  Ｉｎｄｅｘ）及び第２ＤＡＩを含む第１ＰＤＣＣＨ（ｐｈｙｓｉｃａｌ  ｄｏｗｎｌｉｎｋ  ｃｏｎｔｒｏｌ  ｃｈａｎｎｅｌ）をＳＦ（ｓｕｂｆｒａｍｅ）＃ｎ−ｋ内で受信する段階；
前記第１ＤＡＩ及び第２ＤＡＩを用いてＨＡＲＱ−ＡＣＫペイロードを構成する段階；及び
前記ＨＡＲＱ−ＡＣＫペイロードをＳＦ＃ｎに送信する段階を含み、
前記第１ＤＡＩの値はＳＦ＃ｎ−ｋで前記第１ＰＤＣＣＨと関連するセル／ＳＦ単位のスケジューリング順序値を示し、前記セル／ＳＦ単位のスケジューリング順序値はセル／ＳＦドメインでセル優先方式で計数され、
前記第２ＤＡＩの値は、各ＳＦでＤＧ（ｄｏｗｎｌｉｎｋ  ｇｒａｎｔ）ＤＣＩ（ｄｏｗｎｌｉｎｋ  ｃｏｎｔｒｏｌ  ｉｎｆｏｒｍａｔｉｏｎ）によって前記端末にスケジュールされたセルの数を前記ＳＦ＃ｎ−ｋ（ｋ∈Ｋ）内で最初のＳＦから前記第１ＰＤＣＣＨが受信されたＳＦまで累積した値に対応し、各セルにおいて、Ｋ：｛ｋ０、ｋ１、…ｋＭ−１｝は下記のように与えられる、方法。
【化３】
2020074508.tif 000005
（項目２）
前記第１ＰＤＣＣＨは前記ＳＦ＃ｎ−ｋのＵＳＳ（ＵＥ−ｓｐｅｃｉｆｉｃ  ｓｅａｒｃｈ  ｓｐａｃｅ）で受信される、項目１に記載の方法。
（項目３）
前記ＳＦ＃ｎ−ｋのＣＳＳ（ｃｏｍｍｏｎ  ｓｅａｒｃｈ  ｓｐａｃｅ）で第２ＰＤＣＣＨを受信する段階をさらに含み、前記第２ＰＤＣＣＨには前記第２ＤＡＩが含まれない、項目２に記載の方法。
（項目４）
前記第１ＰＤＣＣＨは、（ｉ）ＰＤＳＣＨ（ｐｈｙｓｉｃａｌ  ｄｏｗｎｌｉｎｋ  ｓｈａｒｅｄ  ｃｈａｎｎｅｌ）をスケジュールするＰＤＣＣＨ又は（ｉｉ）ＳＰＳ解除（ｓｅｍｉ−ｐｅｒｓｉｓｔｅｎｔ  ｓｃｈｅｄｕｌｉｎｇ  ｒｅｌｅａｓｅ）を指示するＰＤＣＣＨである、項目１に記載の方法。
（項目５）
前記ＨＡＲＱ−ＡＣＫペイロードは前記ＰＤＳＣＨに対するＨＡＲＱ−ＡＣＫ応答又は前記ＳＰＳ解除を指示するＰＤＣＣＨに対するＨＡＲＱ−ＡＣＫ応答を含む、項目４に記載の方法。
（項目６）
ＣＡ（Ｃａｒｒｉｅｒ  Ａｇｇｒｅｇａｔｉｏｎ）無線通信システムにおいてＨＡＲＱ−ＡＣＫ（ｈｙｂｒｉｄ  ａｕｔｏｍａｔｉｃ  ｒｅｐｅａｔ  ｒｅｑｕｅｓｔ）を送信するように構成された端末であって、
無線周波数（Ｒａｄｉｏ  Ｆｒｅｑｕｅｎｃｙ、ＲＦ）ユニット；及び
プロセッサを含み、前記プロセッサは、
第１ＤＡＩ（Ｄｏｗｎｌｉｎｋ  Ａｓｓｉｇｎｍｅｎｔ  Ｉｎｄｅｘ）及び第２ＤＡＩを含む第１ＰＤＣＣＨ（ｐｈｙｓｉｃａｌ  ｄｏｗｎｌｉｎｋ  ｃｏｎｔｒｏｌ  ｃｈａｎｎｅｌ）をＳＦ（ｓｕｂｆｒａｍｅ）＃ｎ−ｋ内で受信し、
前記第１ＤＡＩ及び第２ＤＡＩを用いてＨＡＲＱ−ＡＣＫペイロードを構成し、及び
前記ＨＡＲＱ−ＡＣＫペイロードをＳＦ＃ｎで送信するように構成され、
前記第１ＤＡＩの値はＳＦ＃ｎ−ｋで前記第１ＰＤＣＣＨと関連するセル／ＳＦ単位のスケジューリング順序値を示し、前記セル／ＳＦ単位のスケジューリング順序値はセル／ＳＦドメインでセル優先方式で計数され、
前記第２ＤＡＩの値は各ＳＦでＤＧ（ｄｏｗｎｌｉｎｋ  ｇｒａｎｔ）ＤＣＩ（ｄｏｗｎｌｉｎｋ  ｃｏｎｔｒｏｌ  ｉｎｆｏｒｍａｔｉｏｎ）によって前記端末にスケジュールされたセルの数を前記ＳＦ＃ｎ−ｋ（ｋ∈Ｋ）内で最初のＳＦから前記第１ＰＤＣＣＨが受信されたＳＦまで累積した値に対応し、各セルで、Ｋ：｛ｋ０、ｋ１、…ｋＭ−１｝は下記のように与えられる、端末。
【化４】
2020074508.tif 000006
（項目７）
前記第１ＰＤＣＣＨは前記ＳＦ＃ｎ−ｋのＵＳＳ（ＵＥ−ｓｐｅｃｉｆｉｃ  ｓｅａｒｃｈ  ｓｐａｃｅ）で受信される、項目６に記載の端末。
（項目８）
前記ＳＦ＃ｎ−ｋのＣＳＳ（ｃｏｍｍｏｎ  ｓｅａｒｃｈ  ｓｐａｃｅ）で第２ＰＤＣＣＨを受信する段階をさらに含み、前記第２ＰＤＣＣＨには前記第２ＤＡＩが含まれない、項目７に記載の端末。
（項目９）
前記第１ＰＤＣＣＨは、（ｉ）ＰＤＳＣＨ（ｐｈｙｓｉｃａｌ  ｄｏｗｎｌｉｎｋ  ｓｈａｒｅｄ  ｃｈａｎｎｅｌ）をスケジュールするＰＤＣＣＨ又は（ｉｉ）ＳＰＳ解除（ｓｅｍｉ−ｐｅｒｓｉｓｔｅｎｔ  ｓｃｈｅｄｕｌｉｎｇ  ｒｅｌｅａｓｅ）を指示するＰＤＣＣＨである、項目６に記載の端末。
（項目１０）
前記ＨＡＲＱ−ＡＣＫペイロードは前記ＰＤＳＣＨに対するＨＡＲＱ−ＡＣＫ応答又は前記ＳＰＳ解除を指示するＰＤＣＣＨに対するＨＡＲＱ−ＡＣＫ応答を含む、項目９に記載の端末。
【発明の効果】
【００１３】
本発明によると、無線通信システムにおいて信号を効率的に送信／受信することができる。また、上りリンク信号の送信を効率的に制御することができる。
【００１４】
本発明で得られる効果は、以上に言及した効果に制限されず、言及していない他の効果は、下記の記載から、本発明の属する技術分野における通常の知識を有する者には明確に理解されるであろう。
【図面の簡単な説明】
【００１５】
本発明に関する理解を助けるために詳細な説明の一部として含まれる添付図面は、本発明に係る実施例を提供し、詳細な説明と共に本発明の技術的思想を説明する。
【００１６】
【図１】無線通信システムの一例である３ＧＰＰ  ＬＴＥシステムに用いられる物理チャネル及びこれらを用いた一般的な信号送信方法を例示する図である。
【００１７】
【図２】無線フレーム（ｒａｄｉｏ  ｆｒａｍｅ）の構造を例示する図である。
【００１８】
【図３】下りリンクスロットのリソースグリッドを例示する図である。
【００１９】
【図４】下りリンクサブフレームの構造を示す図である。
【００２０】
【図５】上りリンクサブフレームの構造を示す図である。
【００２１】
【図６】ＡＣＫ／ＮＡＣＫのためのＰＵＣＣＨリソースを決定する例を示す図である。
【００２２】
【図７】単一セルの状況でＴＤＤ  ＵＬ  ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）送信タイミングを示す図である。
【図８】単一セルの状況でＴＤＤ  ＵＬ  ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）送信タイミングを示す図である。
【００２３】
【図９】ＤＡＩ（Ｄｏｗｎｌｉｎｋ  Ａｓｓｉｇｎｍｅｎｔ  Ｉｎｄｅｘ）を用いたＡＣＫ／ＮＡＣＫ送信を例示する図である。
【００２４】
【図１０】キャリアアグリゲーション（Ｃａｒｒｉｅｒ  Ａｇｇｒｅｇａｔｉｏｎ、ＣＡ）通信システムを例示する図である。
【００２５】
【図１１】複数のキャリアがアグリゲーションされた場合のスケジューリングを例示する図である。
【００２６】
【図１２】ＰＵＣＣＨフォーマット３を例示する図である。
【図１３】ＰＵＣＣＨフォーマット３を例示する図である。
【００２７】
【図１４】ＰＵＳＣＨ上での制御情報とＵＬ−ＳＣＨデータの多重化を示す図である。
【００２８】
【図１５】従来のＴＤＤＣＡにおいてＡＣＫ／ＮＡＣＫペイロードを構成する例を示す図である。
【００２９】
【図１６】本発明の一実施例によるＤＡＩ割当例を示す図である。
【図１７】本発明の一実施例によるＤＡＩ割当例を示す図である。
【図１８】本発明の一実施例によるＤＡＩ割当例を示す図である。
【図１９】本発明の一実施例によるＤＡＩ割当例を示す図である。
【００３０】
【図２０】本発明の一実施例に適用可能な基地局及び端末を例示する図である。
【発明を実施するための形態】
【００３１】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  Ｍｕｌｔｉｐｌｅ  ａｃｃｅｓｓ）などのような様々な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術で具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展したバージョンである。説明を明確にするために、３ＧＰＰ  ＬＴＥ／ＬＴＥ−Ａを中心に記述するが、本発明の技術的思想がこれに制限されるものではない。
【００３２】
無線通信システムにおいて、端末は基地局から下りリンク（Ｄｏｗｎｌｉｎｋ、ＤＬ）を介して情報を受信し、端末は基地局に上りリンク（Ｕｐｌｉｎｋ、ＵＬ）を介して情報を送信する。基地局と端末が送受信する情報はデータ及び多様な制御情報を含み、これらが送受信する情報の種類／用途によって多様な物理チャネルが存在する。
【００３３】
図１は３ＧＰＰ  ＬＴＥシステムに用いられる物理チャネル及びこれらを用いた一般的な信号送信方法を説明するための図である。
【００３４】
電源が切れた状態でまた電源が入るとか、あるいは新たにセルに進入した端末は段階Ｓ１０１で基地局と同期を取るなどの初期セル探索（Ｉｎｉｔｉａｌ  ｃｅｌｌ  ｓｅａｒｃｈ）作業を行う。このために、端末は基地局から主同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤ（ｃｅｌｌ  ｉｄｅｎｔｉｔｙ）などの情報を取得する。その後、端末は、基地局から物理放送チャネル（Ｐｈｙｓｉｃａｌ  Ｂｒｏａｄｃａｓｔ  Ｃｈａｎｎｅｌ、ＰＢＣＨ）を受信してセル内放送情報を取得することができる。一方、端末は初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００３５】
初期セル探索を終えた端末は段階Ｓ１０２で物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び物理下りリンク制御チャネル情報による物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信してより具体的なシステム情報を取得することができる。
【００３６】
その後、端末は、基地局への接続を完了するために、段階Ｓ１０３〜段階Ｓ１０６のような任意接続過程（Ｒａｎｄｏｍ  Ａｃｃｅｓｓ  Ｐｒｏｃｅｄｕｒｅ）を行うことができる。このために、端末は、物理任意接続チャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ１０３）、物理下りリンク制御チャネル及びこれに対応する物理下りリンク共有チャネルを介してプリアンブルに対する応答メッセージを受信することができる（Ｓ１０４）。競争に基づく任意接続（Ｃｏｎｔｅｎｔｉｏｎ  ｂａｓｅｄ  ｒａｎｄｏｍ  ａｃｃｅｓｓ）の場合、追加の物理任意接続チャネルの送信（Ｓ１０５）及び物理下りリンク制御チャネル及びこれに対応する物理下りリンク共有チャネル受信（Ｓ１０６）のような衝突解決過程（Ｃｏｎｔｅｎｔｉｏｎ  Ｒｅｓｏｌｕｔｉｏｎ  Ｐｒｏｃｅｄｕｒｅ）を行うことができる。
【００３７】
上述したような過程を行った端末は、その後、一般的な上り／下りリンク信号送信過程として物理下りリンク制御チャネル／物理下りリンク共有チャネル受信（Ｓ１０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）送信（Ｓ１０８）を行うことができる。端末が基地局に送信する制御情報を通称して上りリンク制御情報（Ｕｐｌｉｎｋ  Ｃｏｎｔｒｏｌ  Ｉｎｆｏｒｍａｔｉｏｎ、ＵＣＩ）という。ＵＣＩはＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。ＣＳＩはＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは一般的にＰＵＣＣＨを介して送信されるが、制御情報とトラフィックデータが同時に送信されなければならない場合はＰＵＳＣＨを介して送信されることができる。また、ネットワークの要請／指示によってＰＵＳＣＨを介してＵＣＩを非周期的に送信することができる。
【００３８】
図２は無線フレーム（ｒａｄｉｏ  ｆｒａｍｅ）の構造を例示する。上りリンク／下りリンクデータパケット送信はサブフレーム単位でなされ、サブフレームは多数のシンボルを含む時間区間と定義される。３ＧＰＰ  ＬＴＥ標準ではＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２無線フレーム構造を支援する。
【００３９】
図２（ａ）はタイプ１無線フレームの構造を例示する。下りリンク無線フレームは１０個のサブフレームで構成され、一つのサブフレームは時間ドメイン（ｔｉｍｅ  ｄｏｍａｉｎ）で２個のスロット（ｓｌｏｔ）で構成される。一つのサブフレームが送信されるのにかかる時間をＴＴＩ（ｔｒａｎｓｍｉｓｓｉｏｎ  ｔｉｍｅ  ｉｎｔｅｒｖａｌ）と言う。例えば、一つのサブフレームの長さは１ｍｓ、一つのスロットの長さは０．５ｍｓであり得る。一つのスロットは時間領域で複数のＯＦＤＭシンボルを含み、周波数領域で多数のリソースブロック（Ｒｅｓｏｕｒｃｅ  Ｂｌｏｃｋ、ＲＢ）を含む。３ＧＰＰ  ＬＴＥシステムにおいては、下りリンクでＯＦＤＭを使うので、ＯＦＤＭシンボルが一つのシンボル区間を示す。ＯＦＤＭシンボルはまたＳＣ−ＦＤＭＡシンボル又はシンボル区間と呼むことができる。リソース割当単位としてのリソースブロック（ＲＢ）は一つのスロットで複数の連続的な副搬送波（ｓｕｂｃａｒｒｉｅｒ）を含むことができる。
【００４０】
スロットに含まれるＯＦＤＭシンボルの数はＣＰ（Ｃｙｃｌｉｃ  Ｐｒｅｆｉｘ）の構成（ｃｏｎｆｉｇｕｒａｔｉｏｎ）によって変わることができる。ＣＰには拡張ＣＰ（ｅｘｔｅｎｄｅｄ  ＣＰ）とノーマルＣＰ（ｎｏｒｍａｌ  ＣＰ）がある。例えば、ＯＦＤＭシンボルがノーマルＣＰによって構成された場合、一つのスロットに含まれるＯＦＤＭシンボルの数は７個であり得る。ＯＦＤＭシンボルが拡張したＣＰによって構成された場合、一つのＯＦＤＭシンボルの長さが増えるので、一つのスロットに含まれるＯＦＤＭシンボルの数はノーマルＣＰの場合より少ない。例えば、拡張ＣＰの場合、一つのスロットに含まれるＯＦＤＭシンボルの数は６個であり得る。端末が高速で移動するなどの場合のようにチャネル状態が不安定な場合、シンボル間の干渉を一層減らすために拡張ＣＰを使うことができる。
【００４１】
ノーマルＣＰが使われる場合、スロットは７個のＯＦＤＭシンボルを含むので、サブフレームは１４個のＯＦＤＭシンボルを含む。サブフレームにおいて初めの最大で３個のＯＦＤＭシンボルはＰＤＣＣＨ（Ｐｈｙｓｉｃａｌ  Ｄｏｗｎｌｉｎｋ  Ｃｏｎｔｒｏｌ  Ｃｈａｎｎｅｌ）に割り当てられ、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられることができる。
【００４２】
図２（ｂ）はタイプ２無線フレームの構造を例示する。タイプ２無線フレームは２個のハーフフレーム（ｈａｌｆ  ｆｒａｍｅ）で構成される。ハーフフレームは４（５）個の一般サブフレームと１（０）個のスペシャルサブフレームを含む。一般サブフレームはＵＬ−ＤＬ構成（Ｕｐｌｉｎｋ−Ｄｏｗｎｌｉｎｋ  Ｃｏｎｆｉｇｕｒａｔｉｏｎ）によって上りリンク又は下りリンクに使われる。サブフレームは２個のスロットで構成される。
【００４３】
表１はＵＬ−ＤＬ構成による無線フレーム内のサブフレーム構成を例示する。
【００４４】
【表１】
2020074508.tif 000007
【００４５】
表で、Ｄは下りリンクサブフレームを、Ｕは上りリンクサブフレームを、Ｓはスペシャル（ｓｐｅｃｉａｌ）サブフレームを示す。スペシャルサブフレームはＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは端末での初期セル探索、同期化又はチャネル推定に使われる。ＵｐＰＴＳは基地局でのチャネル推定と端末の上りリンク送信同期を取るのに使われる。保護区間は上りリンクと下りリンクの間に下りリンク信号の多重経路遅延によって上りリンクで発生する干渉を除去するための区間である。
【００４６】
無線フレームの構造は例示に過ぎなく、無線フレームにおいてサブフレームの数、スロットの数、シンボルの数は多様に変更可能である。
【００４７】
図３は下りリンクスロットのリソースグリッドを例示する。
【００４８】
図３を参照すると、下りリンクスロットは時間ドメインで複数のＯＦＤＭシンボルを含む。ここで、一つの下りリンクスロットは７個のＯＦＤＭシンボルを含み、一つのリソースブロック（ＲＢ）は周波数ドメインで１２個の副搬送波を含むものとして例示された。しかし、本発明がこれに制限されるのではない。リソースグリッド上でそれぞれの要素はリソース要素（Ｒｅｓｏｕｒｃｅ  Ｅｌｅｍｅｎｔ、ＲＥ）と呼ばれる。一つのＲＢは１２×７ＲＥを含む。下りリンクスロットに含まれたＲＢの個数ＮＤＬは下りリンク送信帯域に依存する。上りリンクスロットの構造は下りリンクスロットの構造と同一であっても良い。
【００４９】
図４は下りリンクサブフレームの構造を例示する。
【００５０】
図４を参照すると、サブフレーム内で一番目スロットの前に位置する最大で３（４）個のＯＦＤＭシンボルが制御チャネルの割り当てられる制御領域に相当する。残りのＯＦＤＭシンボルはＰＤＳＣＨ（ｐｈｙｓｉｃａｌ  ｄｏｗｎｌｉｎｋ  ｓｈａｒｅｄ  ｃｈａｎｃｅｌ）が割り当てられるデータ領域に相当し、データ領域の基本リソース単位はＲＢである。ＬＴＥで使われる下りリンク制御チャネルの例はＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）などを含む。ＰＣＦＩＣＨはサブフレームの一番目ＯＦＤＭシンボルで送信され、サブフレーム内で制御チャネルの送信に使われるＯＦＤＭシンボルの個数についての情報を搬送する。ＰＨＩＣＨは上りリンク送信に対する応答であり、ＨＡＲＱ  ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を搬送する。ＰＤＣＣＨを介して送信される制御情報はＤＣＩ（ｄｏｗｎｌｉｎｋ  ｃｏｎｔｒｏｌ  ｉｎｆｏｒｍａｔｉｏｎ）と呼ばれる。ＤＣＩは上りリンク又は下りリンクスケジューリング情報又は任意の端末グループのための上りリンク送信電力制御命令（Ｔｒａｎｓｍｉｔ  Ｐｏｗｅｒ  Ｃｏｎｔｒｏｌ  Ｃｏｍｍａｎｄ）を含む。
【００５１】
ＰＤＣＣＨを介して送信される制御情報をＤＣＩ（Ｄｏｗｎｌｉｎｋ  ｃｏｎｔｒｏｌ  ｉｎｆｏｒｍａｔｉｏｎ）と言う。ＤＣＩフォーマット（ｆｏｒｍａｔ）は上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの個数、各情報フィールドのビット数などが変わる。例えば、ＤＣＩフォーマットは用途によってホッピングフラグ（ｈｏｐｐｉｎｇ  ｆｌａｇ）、ＲＢ割当（ａｓｓｉｇｎｍｅｎｔ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、ＨＡＲＱプロセス番号、ＰＭＩ（ｐｒｅｃｏｄｉｎｇ  ｍａｔｒｉｘ  ｉｎｄｉｃａｔｏｒ）確認（ｃｏｎｆｉｒｍａｔｉｏｎ）などの情報を選択的に含む。よって、ＤＣＩフォーマットによってＤＣＩフォーマットに整合する制御情報のサイズ（ｓｉｚｅ）が変わる。一方、任意のＤＣＩフォーマットは二種以上の制御情報の送信に使われることができる。例えば、ＤＣＩフォーマット０／１ＡはＤＣＩフォーマット０又はＤＣＩフォーマット１を搬送するのに使われ、これらはフラグフィールド（ｆｌａｇ  ｆｉｅｌｄ）によって区分される。
【００５２】
ＰＤＣＣＨはＤＬ−ＳＣＨ（ｄｏｗｎｌｉｎｋ  ｓｈａｒｅｄ  ｃｈａｎｎｅｌ）の送信フォーマット及びリソース割当、ＵＬ−ＳＣＨ（ｕｐｌｉｎｋ  ｓｈａｒｅｄ  ｃｈａｎｎｅｌ）に対するリソース割当情報、ＰＣＨ（ｐａｇｉｎｇ  ｃｈａｎｎｅｌ）に対するページング情報、ＤＬ−ＳＣＨ上のシステム情報（ｓｙｓｔｅｍ  ｉｎｆｏｒｍａｔｉｏｎ）、ＰＤＳＣＨ上で送信されるランダム接続応答のような上位階層制御メッセージのリソース割当情報、任意の端末グループ内で個別端末に対する送信電力制御命令、ＶｏＩＰ（ｖｏｉｃｅ  ｏｖｅｒ  ＩＰ）の活性化（ａｃｔｉｖａｔｉｏｎ）などを搬送する。制御領域内で複数のＰＤＣＣＨが送信されることができる。端末は複数のＰＤＣＣＨをモニタリングすることができる。ＰＤＣＣＨは一つ又は複数の連続したＣＣＥ（ｃｏｎｓｅｃｕｔｉｖｅ  ｃｏｎｔｒｏｌ  ｃｈａｎｎｅｌ  ｅｌｅｍｅｎｔ）のアグリゲーション（ａｇｇｒｅｇａｔｉｏｎ）上で送信される。ＣＣＥは無線チャネルの状態によって所定の符号化率（ｃｏｄｉｎｇ  ｒａｔｅ）のＰＤＣＣＨを提供するために使われる論理的割当単位である。ＣＣＥは複数のＲＥＧ（Ｒｅｓｏｕｒｃｅ  Ｅｌｅｍｅｎｔ  ｇｒｏｕｐ）に対応する。ＰＤＣＣＨのフォーマット及び可用のＰＤＣＣＨのビット数はＣＣＥの個数とＣＣＥによって提供される符号化率間の相関関係によって決定される。基地局は端末に送信されるＤＣＩによってＰＤＣＣＨフォーマットを決定し、ＣＲＣ（ｃｙｃｌｉｃ  ｒｅｄｕｎｄａｎｃｙ  ｃｈｅｃｋ）を制御情報に付け加える。ＣＲＣはＰＤＣＣＨの所有者又は使用用途によって唯一識別子（ＲＮＴＩ（ｒａｄｉｏ  ｎｅｔｗｏｒｋ  ｔｅｍｐｏｒａｒｙ  ｉｄｅｎｔｉｆｉｅｒ）と呼ばれる）によってマスキングされる。ＰＤＣＣＨが特定の端末のためのものであれば、該当端末の唯一識別子（例えば、Ｃ−ＲＮＴＩ（ｃｅｌｌ−ＲＮＴＩ））がＣＲＣにマスキングされる。他の例として、ＰＤＣＣＨがページングメッセージのためのものであれば、ページング指示識別子（例えば、Ｐ−ＲＮＴＩ（ｐａｇｉｎｇ−ＲＮＴＩ））がＣＲＣにマスキングされる。ＰＤＣＣＨがシステム情報（より具体的に、後述するＳＩＢ（ｓｙｓｔｅｍ  ｉｎｆｏｒｍａｔｉｏｎ  ｂｌｏｃｋ））に関するものであれば、システム情報識別子（例えば、ＳＩ−ＲＮＴＩ（ｓｙｓｔｅｍ  ｉｎｆｏｒｍａｔｉｏｎ  ＲＮＴＩ））がＣＲＣにマスキングされる。端末のランダム接続プリアンブルの送信に対する応答である、ランダム接続応答を指示するために、ＲＡ−ＲＮＴＩ（ｒａｎｄｏｍ  ａｃｃｅｓｓ−ＲＮＴＩ）がＣＲＣにマスキングされる。
【００５３】
ＰＤＣＣＨはＤＣＩ（Ｄｏｗｎｌｉｎｋ  ｃｏｎｔｒｏｌ  ｉｎｆｏｒｍａｔｉｏｎ）と知られたメッセージを搬送し、複数のＰＤＣＣＨがサブフレームで送信される。それぞれのＰＤＣＣＨは一つ以上のＣＣＥを用いて送信される。それぞれのＣＣＥは９個のＲＥＧに対応し、それぞれのＲＥＧは４個のＲＥに対応する。４個のＱＰＳＫシンボルがそれぞれのＲＥＧにマッピングされる。参照信号に割り当てられたリソース要素はＲＥＧに含まれない。よって、与えられたＯＦＤＭシンボル内でＲＥＧの個数はセル特定（ｃｅｌｌ−ｓｐｅｃｉｆｉｃ）参照信号の存在有無によって変わる。ＲＥＧ概念は他の下りリンク制御チャネル（すなわち、ＰＣＦＩＣＨ及びＰＨＩＣＨ）にも使われる。表２の記載のように、４個のＰＤＣＣＨフォーマットが支援される。
【００５４】
【表２】
2020074508.tif 000008
【００５５】
ＣＣＥは連続的に番号が付けられて使われ、デコーディングプロセスを単純化するために、ｎのＣＣＥｓで構成されたフォーマットを有するＰＤＣＣＨはｎの倍数に相当する番号を有するＣＣＥでのみ始まることができる。特定のＰＤＣＣＨ送信に使われるＣＣＥの個数はチャネル状態によって基地局によって決定される。例えば、良い下りリンクチャネルを有する端末（例えば、基地局に近い）のためのＰＤＣＣＨの場合、一つのＣＣＥでも十分であることもある。しかし、悪いチャネルを有する端末（例えば、セル境界に近い）のためのＰＤＣＣＨの場合、十分なロバスト性（ｒｏｂｕｓｔｎｅｓｓ）を得るためには８個のＣＣＥが要求されることができる。また、ＰＤＣＣＨのパワーレベルはチャネル状態に合わせて調節されることができる。
【００５６】
ＬＴＥの場合、それぞれの端末のためにＰＤＣＣＨが位置することができるＣＣＥセットを定義した。端末が自分のＰＤＣＣＨを発見することできるＣＣＥセットをＰＤＣＣＨサーチスペース、簡単にはサーチスペース（Ｓｅａｒｃｈ  Ｓｐａｃｅ、ＳＳ）と呼む。それぞれのＰＤＣＣＨ候補はＣＣＥアグリゲーションレベルによって１、２、４又は８個のＣＣＥに対応する。基地局はサーチスペース内の任意のＰＤＣＣＨ候補上に実際ＰＤＣＣＨ（ＤＣＩ）を送信し、端末はサーチスペース内のＰＤＣＣＨ候補に対してブラインドデコーディング（Ｂｌｉｎｄ  Ｄｅｃｏｄｉｎｇ、ＢＤ）を試みる。
【００５７】
ＬＴＥにおいてそれぞれのＰＤＣＣＨフォーマットのためのサーチスペースは互いに違うサイズを有することができる。専用（ｄｅｄｉｃａｔｅｄ）（又は、端末特定サーチスペース（ＵＥ−ｓｐｅｃｉｆｉｃ  ＳＳ、ＵＳＳ））及び共通サーチスペース（ｃｏｍｍｏｎ  ＳＳ、ＣＳＳ）が定義されている。専用サーチスペースはそれぞれの個別端末のために構成され、全ての端末は専用サーチスペースの範囲についての情報を受ける。専用及び共通サーチスペースは与えられた端末に重なることができる。
【００５８】
サーチスペースはサイズが小さく、これらは互いに重なることができるので、基地局は与えられたサブフレームで所望の全ての端末にＰＤＣＣＨを送信するためのＣＣＥリソースを捜すことが不可能であり得る。これは他の端末にＣＣＥリソースが既に割り当てられたので、特定端末のサーチスペースには該当端末のためのＣＣＥリソースがそれ以上ないことがあり得るからである（ブロッキング）。次のサブフレームで持続するブロッキングの可能性を最小化するために、端末特定ホッピングシーケンスが専用サーチスペースの開始位置に適用される。表３は共通及び専用サーチスペースのサイズを示す。
【００５９】
【表３】
2020074508.tif 000009
【００６０】
ブラインドデコーディングの試みによる計算負荷を統制の下に置くために、端末は定義された全てのＤＣＩフォーマットを同時にサーチしない。一般に、専用サーチスペースで端末は常にフォーマット０と１Ａをサーチする。フォーマット０と１Ａは同一サイズを有し、メッセージ内のフラグによって区分される。また、端末はさらに他のフォーマット（例えば、基地局によって設定されたＰＤＳＣＨ送信によって１、１Ｂ又は２）を受信するように要求されることができる。共通サーチスペースで端末はフォーマット１Ａ及び１Ｃを検索する。また、端末はフォーマット３又は３Ａをサーチするように構成されることができる。フォーマット３／３Ａはフォーマット０／１Ａと同様に同一サイズを有し、他の（共通）識別子でスクランブルされたＣＲＣを有するかによって区分されることができる。多重アンテナ技術を構成するための送信モード及びＤＣＩフォーマットの情報コンテンツは次のようである。
【００６１】
（送信モード（Ｔｒａｎｓｍｉｓｓｉｏｎ  Ｍｏｄｅ、ＴＭ））
【００６２】
・送信モード１：単一基地局アンテナポートからの送信
【００６３】
・送信モード２：送信ダイバーシティ
【００６４】
・送信モード３：開ループ空間多重化
【００６５】
・送信モード４：閉ループ空間多重化
【００６６】
・送信モード５：多重使用者ＭＩＭＯ
【００６７】
・送信モード６：閉ループランク−１プリコーディング
【００６８】
・送信モード７：ＵＥ特定参照信号を用いて送信
【００６９】
（ＤＣＩフォーマット）
【００７０】
・フォーマット０：ＰＵＳＣＨ送信（上りリンク）のためのリソースグラント
【００７１】
・フォーマット１：単一コードワードＰＤＳＣＨ送信（送信モード１、２及び７）のためのリソース割当
【００７２】
・フォーマット１Ａ：単一コードワードＰＤＳＣＨ（全てのモード）のためのリソース割当の  コンパクトシグナリング
【００７３】
・フォーマット１Ｂ：ランク−１閉ループプリコーディングを用いるＰＤＳＣＨのためのコンパクトリソース割当（モード６）
【００７４】
・フォーマット１Ｃ：ＰＤＳＣＨ（例えば、ページング／ブロードキャストシステム情報）のための非常にコンパクトなリソース割当
【００７５】
・フォーマット１Ｄ：多重使用者ＭＩＭＯを用いるＰＤＳＣＨのためのコンパクトリソース割当（モード５）
【００７６】
・フォーマット２：閉ループＭＩＭＯ動作のＰＤＳＣＨのためのリソース割当（モード４）
【００７７】
・フォーマット２Ａ：開ループＭＩＭＯ動作のＰＤＳＣＨのためのリソース割当（モード３）
【００７８】
・フォーマット３／３Ａ：ＰＵＣＣＨ及びＰＵＳＣＨのために２ビット／１ビットパワー調整値を有するパワーコントロールコマンド
【００７９】
図５は上りリンクサブフレームの構造を例示する。
【００８０】
図５を参照すると、サブフレーム５００は二つの０．５ｍｓスロット５０１を含む。ノーマルＣＰが使われる場合、各スロットは７個のシンボル５０２で構成され、一つのシンボルは一つのＳＣ−ＦＤＭＡシンボルに対応する。リソースブロック５０３は周波数領域で１２個の副搬送波、そして時間領域で一スロットに相当するリソース割当単位である。上りリンクサブフレームの構造はデータ領域５０４と制御領域５０５に大別される。データ領域は端末が音声、パケットなどのデータを送信するのに使われる通信リソースを意味し、ＰＵＳＣＨ（Ｐｈｙｓｉｃａｌ  Ｕｐｌｉｎｋ  Ｓｈａｒｅｄ  Ｃｈａｎｎｅｌ）を含む。制御領域は端末が上りリンク制御情報（Ｕｐｌｉｎｋ  Ｃｏｎｔｒｏｌ  Ｉｎｆｏｒｍａｔｉｏｎ、ＵＣＩ）を送信するのに使われる通信リソースを意味し、ＰＵＣＣＨ（Ｐｈｙｓｉｃａｌ  Ｕｐｌｉｎｋ  Ｃｏｎｔｒｏｌ  Ｃｈａｎｎｅｌ）を含む。
【００８１】
ＰＵＣＣＨは次の上りリンク制御情報を送信するのに使われることができる。
【００８２】
−ＳＲ（Ｓｃｈｅｄｕｌｉｎｇ  Ｒｅｑｕｅｓｔ）：上りリンクＵＬ−ＳＣＨリソースを要請するのに使用される情報である。ＯＯＫ（Ｏｎ−Ｏｆｆ  Ｋｅｙｉｎｇ）方式を用いて送信される。
【００８３】
−ＨＡＲＱ−ＡＣＫ：ＰＤＳＣＨ上の下りリンクデータパケット（例えば、コードワード）に対する応答である。下りリンクデータパケットが成功的に受信されたかを示す。単一下りリンクコードワードに対する応答としてＨＡＲＱ−ＡＣＫ  １ビットが送信され、二つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（ＮＡＣＫ）、ＤＴＸ又はＮＡＣＫ／ＤＴＸを含む。ここで、ＨＡＲＱ−ＡＣＫは、ＨＡＲＱ  ＡＣＫ／ＮＡＣＫ、ＡＣＫ／ＮＡＣＫと混用される。
【００８４】
−ＣＳＩ（Ｃｈａｎｎｅｌ  Ｓｔａｔｅ  Ｉｎｆｏｒｍａｔｉｏｎ）：下りリンクチャネルに関するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。サブフレーム当たり２０ビットが使用される。
【００８５】
端末がサブフレームで送信することができる制御情報の量は、可用のＳＣ−ＦＤＭＡの個数に依存する。制御情報の送信に可用なＳＣ−ＦＤＭＡは、サブフレームにおいて参照信号送信のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除外される。参照信号は、ＰＵＣＣＨのコヒーレント検出に使用される。ＰＵＣＣＨは、送信される情報に応じて様々なフォーマットを支援する
【００８６】
表４は、ＬＴＥ（−Ａ）でＰＵＣＣＨフォーマットとＵＣＩとのマッピング関係を示す。
【００８７】
【表４】
2020074508.tif 000010
【００８８】
ＳＲＳはサブフレームにおいて最後のＳＣ−ＦＤＭＡシンボルを介して送信される（５０６）。同じＳＣ−ＦＤＭＡシンボルを介して送信される多くの端末のＳＲＳは周波数位置／シーケンスによって区分可能である。ＳＲＳは非周期的又は周期的に送信される。
【００８９】
図６はＡＣＫ／ＮＡＣＫのためのＰＵＣＣＨリソースを決定する例を示す。ＬＴＥシステムにおいてＡＣＫ／ＮＡＣＫのためのＰＵＣＣＨリソースは各端末に前もって割り当てられていなく、複数のＰＵＣＣＨリソースをセル内の複数の端末が毎時点ごとに分けて使用する。具体的に、端末がＡＣＫ／ＮＡＣＫを送信するのに使用するＰＵＣＣＨリソースは該当下りリンクデータに対するスケジューリング情報を搬送するＰＤＣＣＨに対応する。それぞれの下りリンクサブフレームにおいてＰＤＣＣＨが送信される全領域は複数のＣＣＥ（Ｃｏｎｔｒｏｌ  Ｃｈａｎｎｅｌ  Ｅｌｅｍｅｎｔ）で構成され、端末に送信されるＰＤＣＣＨは一つ以上のＣＣＥで構成される。端末は自分が受信したＰＤＣＣＨを構成するＣＣＥのうち特定のＣＣＥ（例えば、一番目ＣＣＥ）に対応するＰＵＣＣＨリソースを介してＡＣＫ／ＮＡＣＫを送信する。
【００９０】
図６を参照すると、下りリンクコンポーネント搬送波（ＤｏｗｎＬｉｎｋ  Ｃｏｍｐｏｎｅｎｔ  Ｃａｒｒｉｅｒ、ＤＬ  ＣＣ）において各四角形はＣＣＥを示し、上りリンクコンポーネント搬送波（ＵｐＬｉｎｋ  Ｃｏｍｐｏｎｅｎｔ  Ｃａｒｒｉｅｒ、ＵＬ  ＣＣ）において各四角形はＰＵＣＣＨリソースを示す。それぞれのＰＵＣＣＨインデックスはＡＣＫ／ＮＡＣＫのためのＰＵＣＣＨリソースに対応する。図６のように、４番目〜６番目ＣＣＥで構成されたＰＤＣＣＨを介してＰＤＳＣＨについての情報が伝達されると仮定する場合、端末はＰＤＣＣＨを構成する一番目ＣＣＥである４番目ＣＣＥに対応する４番目ＰＵＣＣＨを介してＡＣＫ／ＮＡＣＫを送信する。図６はＤＬ  ＣＣに最大でＮ個のＣＣＥが存在するとき、ＵＬ  ＣＣに最大でＭ個のＰＵＣＣＨが存在する場合を例示する。Ｎ＝Ｍであることもあり得るが、Ｍ値とＮ値を違って設計し、ＣＣＥとＰＵＣＣＨのマッピングが重なるようにすることも可能である。
【００９１】
具体的に、ＬＴＥシステムにおいてＰＵＣＣＨリソースインデックスは次のように決定される。
【００９２】
[数１]
【００９３】
ｎ（１）ＰＵＣＣＨ＝ｎＣＣＥ＋Ｎ（１）ＰＵＣＣＨ
【００９４】
ここで、ｎ（１）ＰＵＣＣＨはＡＣＫ／ＮＡＣＫ／ＤＴＸを送信するためのＰＵＣＣＨフォーマット１ａ／１ｂのリソースインデックスを示し、Ｎ（１）ＰＵＣＣＨは上位階層から受けるシグナリング値を示し、ｎＣＣＥはＰＤＣＣＨ送信使用されたＣＣＥインデックスのうち最小値を示す。ｎ（１）ＰＵＣＣＨからＰＵＣＣＨフォーマット１ａ／１ｂのためのサイクリックシフト、直交拡散コード及びＰＲＢ（Ｐｈｙｓｉｃａｌ  Ｒｅｓｏｕｒｃｅ  Ｂｌｏｃｋ）が得られる。
【００９５】
以下、図７〜図８に基づいて、単一キャリア（又はセル）状況でＴＤＤ信号送信タイミングについて説明する。
【００９６】
図７及び図８は、ＰＤＳＣＨ−ＵＬ  ＡＣＫ／ＮＡＣＫタイミングを示す。ここで、ＵＬ  ＡＣＫ／ＮＡＣＫは、ＤＬデータ（例えば、ＰＤＳＣＨ）に対する応答であって、上りリンクで送信されるＡＣＫ／ＮＡＣＫを意味する。
【００９７】
図７を参照すると、端末は、Ｍ個のＤＬサブフレーム（Ｓｕｂｆｒａｍｅ、ＳＦ）上で一つ以上のＰＤＳＣＨ信号を受信することができる（Ｓ５０２＿０〜Ｓ５０２＿Ｍ−１）。それぞれのＰＤＳＣＨ信号は、送信モードによって一つ又は複数（例えば、二つ）の送信ブロック（ＴＢ）を送信するのに使用される。また、図示してはいないが、段階Ｓ５０２＿０〜Ｓ５０２＿Ｍ−１でＳＰＳ解除（Ｓｅｍｉ−Ｐｅｒｓｉｓｔｅｎｔ  Ｓｃｈｅｄｕｌｉｎｇ  ｒｅｌｅａｓｅ）を指示するＰＤＣＣＨ信号も受信されることができる。Ｍ個のＤＬサブフレームにＰＤＳＣＨ信号及び／又はＳＰＳ解除ＰＤＣＣＨ信号が存在すると、端末は、ＡＣＫ／ＮＡＣＫを送信するための過程（例えば、ＡＣＫ／ＮＡＣＫ（ペイロード）生成、ＡＣＫ／ＮＡＣＫリソース割当など）を経て、Ｍ個のＤＬサブフレームに対応する一つのＵＬサブフレームを介してＡＣＫ／ＮＡＣＫを送信する（Ｓ５０４）。ＡＣＫ／ＮＡＣＫは、段階Ｓ５０２＿０〜Ｓ５０２＿Ｍ−１のＰＤＳＣＨ信号及び／又はＳＰＳ解除ＰＤＣＣＨ信号についての受信応答情報を含む。ＡＣＫ／ＮＡＣＫは、基本的にＰＵＣＣＨを介して送信されるが、ＡＣＫ／ＮＡＣＫ送信時点にＰＵＳＣＨ送信がある場合、ＡＣＫ／ＮＡＣＫはＰＵＳＣＨを介して送信される。ＡＣＫ／ＮＡＣＫ送信のために、表４の様々なＰＵＣＣＨフォーマットを用いることができる。また、ＰＵＣＣＨフォーマットを介して送信されるＡＣＫ／ＮＡＣＫビット数を減らすために、ＡＣＫ／ＮＡＣＫバンドリング（ｂｕｎｄｌｉｎｇ）、ＡＣＫ／ＮＡＣＫチャネル選択（ｃｈａｎｎｅｌ  ｓｅｌｅｃｔｉｏｎ）のような様々な方法を用いることができる。
【００９８】
上述したように、ＴＤＤでは、Ｍ個のＤＬサブフレームで受信したデータに対するＡＣＫ／ＮＡＣＫが、一つのＵＬサブフレームを介して送信され（すなわち、Ｍ  ＤＬ  ＳＦ（ｓ）：１  ＵＬ  ＳＦ）、これらの関係は、ＤＡＳＩ（Ｄｏｗｎｌｉｎｋ  Ａｓｓｏｃｉａｔｉｏｎ  Ｓｅｔ  Ｉｎｄｅｘ）によって与えられる。
【００９９】
表５は、ＬＴＥ（−Ａ）に定義されたＤＡＳＩ（Ｋ：｛ｋ０，ｋ１，．．．，ｋＭ−１｝）を示す。表３は、ＡＣＫ／ＮＡＣＫを送信するＵＬサブフレームの立場で、自分と関連するＤＬサブフレームとの間隔を示す。具体的に、サブフレームｎ−ｋ（ｋ∈Ｋ）にＰＤＳＣＨ送信及び／又はＳＰＳ解除（Ｓｅｍｉ−Ｐｅｒｓｉｓｔｅｎｔ  Ｓｃｈｅｄｕｌｉｎｇ  ｒｅｌｅａｓｅ）を指示するＰＤＣＣＨがある場合、端末は、サブフレームｎでＡＣＫ／ＮＡＣＫを送信する
【０１００】
【表５】
2020074508.tif 000011
【０１０１】
図８は、ＵＬ−ＤＬ構成＃１が設定された場合のＵＬ  ＡＣＫ／ＮＡＣＫ送信タイミングを例示する。同図で、ＳＦ＃０〜＃９及びＳＦ＃１０〜＃１９は、それぞれ無線フレームに対応する。同図で、ボックス内の数字は、ＤＬサブフレームの観点で、自分と関連するＵＬサブフレームを示す。例えば、ＳＦ＃５のＰＤＳＣＨに対するＡＣＫ／ＮＡＣＫは、ＳＦ＃５＋７（＝ＳＦ＃１２）で送信され、ＳＦ＃６のＰＤＳＣＨに対するＡＣＫ／ＮＡＣＫはＳＦ＃６＋６（＝ＳＦ＃１２）で送信される。したがって、ＳＦ＃５／ＳＦ＃６の下りリンク信号に対するＡＣＫ／ＮＡＣＫは、全てＳＦ＃１２で送信される。同様に、ＳＦ＃１４のＰＤＳＣＨに対するＡＣＫ／ＮＡＣＫは、ＳＦ＃１４＋４（＝ＳＦ＃１８）で送信される。
【０１０２】
ＴＤＤで端末が基地局にＡＣＫ／ＮＡＣＫ信号を送信する時に次のような問題点が発生し得る。
【０１０３】
・多くのサブフレーム区間の間に基地局が送ったＰＤＣＣＨ（等）の一部を端末が逃した場合、端末は逃したＰＤＣＣＨに対応するＰＤＳＣＨが自分に送信された事実も分からないので、ＡＣＫ／ＮＡＣＫの生成時にエラーが発生し得る。
【０１０４】
このようなエラーを解決するために、ＴＤＤシステムはＰＤＣＣＨにＤＡＩ（Ｄｏｗｎｌｉｎｋ  Ａｓｓｉｇｎｍｅｎｔ  Ｉｎｄｅｘ）を含ませる。ＤＡＩはＤＬサブフレーム（等）ｎ−ｋ（ｋ∈Ｋ）内から現在サブフレームまでＰＤＳＣＨ（等）に対応するＰＤＣＣＨ（等）及び下りリンクＳＰＳ解除を指示するＰＤＣＣＨ（等）の累積値（すなわち、カウント値）を示す。例えば、３個のＤＬサブフレームが一つのＵＬサブフレームに対応する場合、３個のＤＬサブフレーム区間で送信されるＰＤＳＣＨに順次インデックスを付与（すなわち、順次カウント）し、ＰＤＳＣＨをスケジュールするＰＤＣＣＨに含めて送信する。端末はＰＤＣＣＨにあるＤＡＩ情報を見て、以前までのＰＤＣＣＨを正常に受信したかが分かる。
【０１０５】
図９はＤＡＩを用いたＡＣＫ／ＮＡＣＫ送信を例示する。この例は３ＤＬサブフレーム：１ＵＬサブフレームで構成されたＴＤＤシステムを仮定する。便宜上、端末は最後に検出したＰＤＣＣＨに対応するＰＵＣＣＨリソースを用いてＡＣＫ／ＮＡＣＫを送信すると仮定する。
【０１０６】
図９を参照すると、一番目の例示のように２番目ＰＤＣＣＨを逃した場合、端末は三番目ＰＤＣＣＨのＤＡＩ値とその時まで検出されたＰＤＣＣＨの数が違うので、２番目ＰＤＣＣＨを逃したことが分かる。この場合、端末はＤＡＩ＝３に対応するＰＵＣＣＨリソースを用いてＡＣＫ／ＮＡＣＫを送信し、２番目ＰＤＣＣＨに対するＡＣＫ／ＮＡＣＫ応答はＮＡＣＫ（又はＮＡＣＫ／ＤＴＸ）で指示し得る。一方、二番目の例示のように最後のＰＤＣＣＨを逃した場合、端末は最後に検出したＰＤＣＣＨのＤＡＩ値とその時まで検出されたＰＤＣＣＨ数が一致するので、最後のＰＤＣＣＨを逃したことを認識することができない。よって、端末はＤＬサブフレーム区間の間に２個のＰＤＣＣＨのみをスケジュールされたと認識する。端末はＤＡＩ＝２に対応するＰＵＣＣＨリソースを用いてＡＣＫ／ＮＡＣＫ情報を送信するので、基地局は端末がＤＡＩ＝３を含むＰＤＣＣＨを逃したことが分かる。
【０１０７】
図１０は、キャリアアグリゲーション（Ｃａｒｒｉｅｒ  Ａｇｇｒｅｇａｔｉｏｎ、ＣＡ）通信システムを例示する。ＬＴＥ−Ａシステムは、より広い周波数帯域を使用するために複数の上りリンク／下りリンク周波数ブロックを集めてより大きな上りリンク／下りリンク帯域幅を使用するキャリアアグリゲーション（ｃａｒｒｉｅｒ  ａｇｇｒｅｇａｔｉｏｎ又はｂａｎｄｗｉｄｔｈ  ａｇｇｒｅｇａｔｉｏｎ）技術を用いる。各周波数ブロックは、コンポーネントキャリア（Ｃｏｍｐｏｎｅｎｔ  Ｃａｒｒｉｅｒ、ＣＣ）を用いて送信される。コンポーネントキャリアは、該当周波数ブロックのためのキャリア周波数（又は中心キャリア、中心周波数）と理解することができる。
【０１０８】
図１０を参照すると、複数の上りリンク／下りリンクコンポーネントキャリア（Ｃｏｍｐｏｎｅｎｔ  Ｃａｒｒｉｅｒ、ＣＣ）を集めてより広い上りリンク／下りリンク帯域幅を支援することができる。それぞれのＣＣは、周波数領域で互いに隣り合っても隣り合わなくてもよい。各コンポーネントキャリアの帯域幅は独立して決定されてもよい。ＵＬ  ＣＣの個数とＤＬ  ＣＣの個数とが違う非対称キャリアアグリゲーションも可能である。例えば、２個のＤＬ  ＣＣ、１個のＵＬ  ＣＣの場合には、２：１で対応するように構成することができる。ＤＬ  ＣＣ／ＵＬ  ＣＣリンクは、システムに固定されていてもよく、半静的に構成されてもよい。また、システム全帯域がＮ個のＣＣで構成されていても、特定の端末がモニター／受信することができる周波数帯域をＭ（＜Ｎ）個のＣＣに限定し得る。キャリアアグリゲーションに関する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）方式で設定することができる。一方、制御情報は、特定ＣＣを介してのみ送受信されるように設定することができる。このような特定のＣＣをプライマリーＣＣ（Ｐｒｉｍａｒｙ  ＣＣ、ＰＣＣ）（又はアンカーＣＣ）と言い、残りのＣＣをセカンダリーＣＣ（Ｓｅｃｏｎｄａｒｙ  ＣＣ、ＳＣＣ）と言うことができる。
【０１０９】
ＬＴＥ−Ａは、無線リソースを管理するために、セル（ｃｅｌｌ）の概念を使用する。セルは、下りリンクリソースと上りリンクリソースの組合せと定義され、上りリンクリソースは必須要素ではない。したがって、セルは、下りリンクリソース単独で、又は下りリンクリソース及び上りリンクリソースで構成されてもよい。キャリアアグリゲーションが支援される場合、下りリンクリソースのキャリア周波数（又は、ＤＬ  ＣＣ）と上りリンクリソースのキャリア周波数（又は、ＵＬ  ＣＣ）との間のリンケージ（ｌｉｎｋａｇｅ）はシステム情報によって指示可能である。プライマリー周波数（又はＰＣＣ）上で動作するセルをプライマリーセル（Ｐｒｉｍａｒｙ  Ｃｅｌｌ、ＰＣｅｌｌ）と言い、セカンダリー周波数（又はＳＣＣ）上で動作するセルをセカンダリーセル（Ｓｅｃｏｎｄａｒｙ
Ｃｅｌｌ、ＳＣｅｌｌ）と言うことができる。ＰＣｅｌｌは、端末が初期接続設定（ｉｎｉｔｉａｌ  ｃｏｎｎｅｃｔｉｏｎ  ｅｓｔａｂｌｉｓｈｍｅｎｔ）過程を行うとか接続再設定過程を行うのに使用される。ＰＣｅｌｌは、ハンドオーバー過程で指示されたセルを意味することもできる。ＳＣｅｌｌは、ＲＲＣ接続が設定された後に構成可能であり、追加の無線リソースを提供するのに使用することができる。ＰＣｅｌｌとＳＣｅｌｌは、サービングセルと通称することができる。したがって、ＲＲＣ＿ＣＯＮＮＥＣＴＥＤ状態にあるが、キャリアアグリゲーションが設定されていないか、キャリアアグリゲーションを支援しない端末の場合は、ＰＣｅｌｌのみで構成されたサービングセルが一つのみ存在する。反面、ＲＲＣ＿ＣＯＮＮＥＣＴＥＤ状態にあり、キャリアアグリゲーションが設定された端末の場合は、一つ以上のサービングセルが存在し、全てのサービングセルにはＰＣｅｌｌ及び全てのＳＣｅｌｌが含まれる。キャリアアグリゲーションのために、ネットワークは、初期保安活性化（ｉｎｉｔｉａｌ  ｓｅｃｕｒｉｔｙ  ａｃｔｉｖａｔｉｏｎ）過程が開始された後、接続設定過程で初期に構成されるＰＣｅｌｌに加えて、一つ以上のＳＣｅｌｌを、キャリアアグリゲーションを支援する端末のために構成することができる。
【０１１０】
クロスキャリアスケジューリング（又はクロス−ＣＣスケジューリング）が適用される場合、下りリンク割当のためのＰＤＣＣＨはＤＬ  ＣＣ＃０に送信され、該当ＰＤＳＣＨはＤＬ  ＣＣ＃２に送信されることができる。クロス−ＣＣスケジューリングのために、キャリア指示フィールド（ｃａｒｒｉｅｒ  ｉｎｄｉｃａｔｏｒ  ｆｉｅｌｄ、ＣＩＦ）の導入を考慮することができる。ＰＤＣＣＨ内でＣＩＦの存在有無は上位階層シグナリング（例えば、ＲＲＣシグナリング）によって半静的及び端末特定（又は端末グループ特定）方式で設定されることができる。ＰＤＣＣＨ送信ベースラインをまとめると次のようである。
【０１１１】
−ＣＩＦディセーブルド（ｄｉｓａｂｌｅｄ）：ＤＬ  ＣＣ上のＰＤＣＣＨは同じＤＬ  ＣＣ上のＰＤＳＣＨリソースを割り当てるか一つのリンクされたＵＬ  ＣＣ上のＰＵＳＣＨリソースを割り当てる
【０１１２】
−ＣＩＦイネーブルド（ｅｎａｂｌｅｄ）：ＤＬ  ＣＣ上のＰＤＣＣＨはＣＩＦを用いて複数のアグリゲーションされたＤＬ／ＵＬ  ＣＣのうち特定のＤＬ／ＵＬ  ＣＣ上のＰＤＳＣＨ又はＰＵＳＣＨリソースを割り当てることができる
【０１１３】
ＣＩＦが存在する場合、基地局は、端末側のＢＤ複雑度を低めるために、ＰＤＣＣＨモニタリングＤＬ  ＣＣセットを割り当てることができる。ＰＤＣＣＨモニタリングＤＬ  ＣＣセットはアグリゲーションされた全てのＤＬ  ＣＣの一部として一つ以上のＤＬ  ＣＣを含み、端末は該当ＤＬ  ＣＣ上でのみＰＤＣＣＨの検出／デコーディングを行う。すなわち、基地局が端末にＰＤＳＣＨ／ＰＵＳＣＨをスケジュールする場合、ＰＤＣＣＨはＰＤＣＣＨモニタリングＤＬ  ＣＣセットを介してのみ送信される。ＰＤＣＣＨモニタリングＤＬ  ＣＣセットは端末特定（ＵＥ−ｓｐｅｃｉｆｉｃ）、端末グループ特定又はセル特定（ｃｅｌｌ−ｓｐｅｃｉｆｉｃ）方式で設定されることができる。用語“ＰＤＣＣＨモニタリングＤＬ  ＣＣ”はモニタリングキャリア、モニタリングセルなどの等価の用語に取り替えられることができる。また、端末のためにアグリゲーションされたＣＣはサービングＣＣ、サービングキャリア、サービングセルなどの等価の用語に取り替えられることができる。
【０１１４】
図１０は複数のキャリアがアグリゲーションされた場合のスケジューリングを例示する。３個のＤＬ  ＣＣがアグリゲーションされたと仮定する。ＤＬ  ＣＣＡがＰＤＣＣＨモニタリングＤＬ  ＣＣに設定されたと仮定する。ＤＬ  ＣＣＡ〜ＣはサービングＣＣ、サービングキャリア、サービングセルなどと言える。ＣＩＦがディセーブルされた場合、それぞれのＤＬ  ＣＣはＬＴＥ  ＰＤＣＣＨ規則に従ってＣＩＦなしに自分のＰＤＳＣＨをスケジュールするＰＤＣＣＨのみを送信することができる。一方、端末特定（又は端末グループ特定又はセル特定）上位階層シグナリングによってＣＩＦがイネーブルされた場合、ＤＬ  ＣＣＡ（モニタリングＤＬ  ＣＣ）はＣＩＦを用いてＤＬ  ＣＣＡのＰＤＳＣＨをスケジュールするＰＤＣＣＨだけでなく他のＣＣのＰＤＳＣＨをスケジュールするＰＤＣＣＨも送信することができる。この場合、ＰＤＣＣＨモニタリングＤＬ  ＣＣに設定されなかったＤＬ  ＣＣＢ／ＣではＰＤＣＣＨが送信されない。
【０１１５】
ＬＴＥ−Ａシステムでは、複数のＤＬ  ＣＣを介して送信された複数のＰＤＳＣＨに対する複数のＡＣＫ／ＮＡＣＫ情報／信号を特定ＵＬ  ＣＣを介して送信することを考慮している。このために、既存ＬＴＥでのＰＵＣＣＨフォーマット１ａ／１ｂを用いたＡＣＫ／ＮＡＣＫ送信とは違い、複数のＡＣＫ／ＮＡＣＫ情報をジョイントコーディング（例えば、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅなど）した後、新しいＰＵＣＣＨフォーマット（Ｅ−ＰＵＣＣＨ（Ｅｎｈａｎｃｅｄ  ＰＵＣＣＨ）フォーマット又はＰＵＣＣＨフォーマットＭと言う）を用いて複数のＡＣＫ／ＮＡＣＫ情報／信号を送信することを考慮することができる。Ｅ−ＰＵＣＣＨフォーマットは下記のようなブロック拡散（Ｂｌｏｃｋ−ｓｐｒｅａｄｉｎｇ）に基づくＰＵＣＣＨフォーマットを含む。ジョイントコーディングの後、Ｅ−ＰＵＣＣＨフォーマットを用いたＡＣＫ／ＮＡＣＫ送信の一例として、Ｅ−ＰＵＣＣＨフォーマットはＵＣＩ送信制限なしに使うことができる。例えば、Ｅ−ＰＵＣＣＨフォーマットはＡＣＫ／ＮＡＣＫ、ＣＳＩ（例えば、ＣＱＩ、ＰＭＩ、ＲＩ、ＰＴＩなど）、ＳＲ、又はこれらのうち二つ以上の情報を一緒に送信するのに使うことができる。よって、本明細書でＥ−ＰＵＣＣＨフォーマットはＵＣＩの種類／個数／サイズにかかわらず、ジョイントコーディングされたＵＣＩコードワードを送信するのに使うことができる。
【０１１６】
図１２はＰＵＣＣＨフォーマット３のスロットレベル構造を例示する。ＰＵＣＣＨフォーマット３は複数のＤＬ  ＣＣを介して送信された複数のＰＤＳＣＨに対する複数のＡＣＫ／ＮＡＣＫ情報／信号を送信するのに使われる。ＰＵＣＣＨフォーマット３はＡＣＫ／ＮＡＣＫ、ＣＳＩ（例えば、ＣＱＩ、ＰＭＩ、ＲＩ、ＰＴＩなど）、ＳＲ、又はこれらのうち二つ以上の情報を一緒に送信するのに使うことができる。
【０１１７】
図１２を参照すると、長さ−５（ＳＦ（Ｓｐｒｅａｄｉｎｇ  Ｆａｃｔｏｒ）＝５）のＯＣＣ（Ｃ１〜Ｃ５）を用いて、一つのシンボルシーケンス（｛ｄ１、ｄ２、…）から５個のＳＣ−ＦＤＭＡシンボル（すなわち、ＵＣＩデータパート）が生成される。シンボルシーケンス（｛ｄ１、ｄ２、…）は変調シンボルシーケンス又はコードワードビットシーケンスを意味し得る。シンボルシーケンス（｛ｄ１、ｄ２、…）がコードワードビットシーケンスを意味する場合、図１２のブロック図は変調ブロックをさらに含む。ＲＳシンボルは特定のサイクリックシフトを有するＣＡＺＡＣシーケンスから生成されることができる。ＲＳは時間領域の複数のＲＳシンボルに特定のＯＣＣが適用された（掛けられた）形態で送信されることができる。ブロック拡散したＵＣＩはＳＣ−ＦＤＭＡシンボル単位でＦＦＴ（Ｆａｓｔ  Ｆｏｕｒｉｅｒ  Ｔｒａｎｓｆｏｒｍ）過程、ＩＦＦＴ（Ｉｎｖｅｒｓｅ  Ｆａｓｔ  Ｆｏｕｒｉｅｒ  Ｔｒａｎｓｆｏｒｍ）過程を経てネットワークに送信される。
【０１１８】
図１３はＰＵＣＣＨフォーマット３のサブフレームレベル構造を例示する。図１３を参照すると、スロット０でシンボルシーケンス（｛ｄ’０〜ｄ’１１｝）は一つのＳＣ−ＦＤＭＡシンボルの副搬送波にマッピングされ、ＯＣＣ（Ｃ１〜Ｃ５）を用いたブロック拡散によって５個のＳＣ−ＦＤＭＡシンボルにマッピングされる。同様に、スロット１でシンボルシーケンス（｛ｄ’１２〜ｄ’２３｝）は一つのＳＣ−ＦＤＭＡシンボルの副搬送波にマッピングされ、ＯＣＣ（Ｃ１〜Ｃ５）を用いたブロック拡散によって５個のＳＣ−ＦＤＭＡシンボルにマッピングされる。ここで、各スロットに示したシンボルシーケンス（｛ｄ’０〜ｄ’１１｝又は｛ｄ’１２〜ｄ’２３｝）は図１２のシンボルシーケンス（｛ｄ１、ｄ２、…）にＦＦＴ又はＦＦＴ／ＩＦＦＴが適用された形態を示す。全てのシンボルシーケンス（｛ｄ’０〜ｄ’２３｝）は一つ以上のＵＣＩをジョイントコーディングすることによって生成される。ＯＣＣはスロット単位で変更されることができ、ＵＣＩデータはＳＣ−ＦＤＭＡシンボル単位でスクランブルされることができる。
【０１１９】
ＰＵＣＣＨフォーマット３リソースは明示的に与えられることができる。具体的に、上位階層（例えば、ＲＲＣ）によってＰＵＣＣＨリソースセットが構成され、ＰＤＣＣＨのＡＲＩ（ＡＣＫ／ＮＡＣＫ  Ｒｅｓｏｕｒｃｅ  Ｉｎｄｉｃａｔｏｒ）値を用いて実際に使われるＰＵＣＣＨリソースを指示することができる。
【０１２０】
表６はＨＡＲＱ−ＡＣＫのためのＰＵＣＣＨリソースを明示的に指示する例を示す。
【０１２１】
【表６】
2020074508.tif 000012
【０１２２】
ＡＲＩ：ＡＣＫ／ＮＡＣＫ  Ｒｅｓｏｕｒｃｅ  Ｉｎｄｉｃａｔｏｒ
表６で上位階層はＲＲＣ階層を含み、ＡＲＩ値はＤＬグラントを搬送するＰＤＣＣＨを介して指示し得る。例えば、ＡＲＩ値はＳＣｅｌｌスケジューリングＰＤＣＣＨ及び／又はＤＡＩ初期値に対応しない一つ以上のＰＣｅｌｌスケジューリングＰＤＣＣＨのＴＰＣ（Ｔｒａｎｓｍｉｔ  Ｐｏｗｅｒ  Ｃｏｎｔｒｏｌ）フィールドを用いて指示し得る。
【０１２３】
ＰＵＣＣＨフォーマット４はＰＵＣＣＨフォーマット３より大きなペイロードサイズのＵＣＩ送信を支援するＰＵＣＣＨフォーマットである。ＰＵＣＣＨフォーマット４の構造はブロック拡散が適用されない点を除き、基本的にＰＵＣＣＨフォーマット３の構造と同一である。また、ＰＵＣＣＨフォーマット４リソースも明示的に与えられることができる。具体的に、上位階層（例えば、ＲＲＣ）によってＰＵＣＣＨリソースセットが構成され、ＰＤＣＣＨのＡＲＩ値を用いて実際に使われるＰＵＣＣＨリソースを指示し得る。
【０１２４】
ＬＴＥ−ＡではＵＣＩをＵＬ−ＳＣＨデータと同時に送信する方法を二通りに分けている。第１方法はＰＵＣＣＨとＰＵＳＣＨを同時に送信する方法であり、第２方法は既存のＬＴＥと同様にＰＵＳＣＨにＵＣＩを多重化する方法である。ＰＵＣＣＨとＰＵＳＣＨの同時送信許容可否は上位階層によって設定することができる。ＰＵＣＣＨ＋ＰＵＳＣＨ同時送信がイネーブル（ｅｎａｂｌｅ）されれば第１方法が適用され、ＰＵＣＣＨ＋ＰＵＳＣＨ同時送信がディセーブル（ｄｉｓａｂｌｅ）されれば第２方法が適用される。既存ＬＴＥ端末はＰＵＣＣＨとＰＵＳＣＨを同時に送信することができないので、ＰＵＳＣＨが送信されるサブフレームでＵＣＩ（例えば、ＣＱＩ／ＰＭＩ、ＨＡＲＱ−ＡＣＫ、ＲＩなど）送信が必要な場合、ＵＣＩをＰＵＳＣＨ領域に多重化する方法を使う。一例として、ＰＵＳＣＨ送信が割り当てられたサブフレームでＨＡＲＱ−ＡＣＫを送信しなければならない場合、端末はＵＬ−ＳＣＨデータとＨＡＲＱ−ＡＣＫをＤＦＴ−拡散前に多重化した後、ＰＵＳＣＨを介して制御情報とデータを一緒に送信する。
【０１２５】
図１４はＰＵＳＣＨ上での制御情報とＵＬ−ＳＣＨデータの多重化を示す。ＰＵＳＣＨ送信が割り当てられたサブフレームで制御情報を送信しようとする場合、端末はＤＦＴ拡散前に制御情報（ＵＣＩ）とＵＬ−ＳＣＨデータを一緒に多重化する。制御情報はＣＱＩ／ＰＭＩ、ＨＡＲＱＡＣＫ／ＮＡＣＫ及びＲＩの少なくとも一つを含む。ＣＱＩ／ＰＭＩ、ＡＣＫ／ＮＡＣＫ及びＲＩ送信に使われるそれぞれのＲＥ個数はＰＵＳＣＨ送信のために割り当てられたＭＣＳ（Ｍｏｄｕｌａｔｉｏｎ  ａｎｄ  Ｃｏｄｉｎｇ  Ｓｃｈｅｍｅ）及びオフセット値に基づく。オフセット値は制御情報によって互いに異なるコーディングレートを許容し、上位階層（例えば、ＲＲＣ）シグナルによって半静的に設定される。ＵＬ−ＳＣＨデータと制御情報は同じＲＥにマッピングされない。制御情報はサブフレームの二つのスロットに共に存在するようにマッピングされる。
【０１２６】
図１４を参照すると、ＣＱＩ及び／又はＰＭＩ（ＣＱＩ／ＰＭＩ）リソースはＵＬ−ＳＣＨデータリソースの開始部分に位置し、一つの副搬送波上で全てのＳＣ−ＦＤＭＡシンボルに順次マッピングされた後、次の副搬送波でマッピングされる。ＣＱＩ／ＰＭＩは副搬送波内で左側から右側に、つまりＳＣ−ＦＤＭＡシンボルインデックスが増加する方向にマッピングされる。ＰＵＳＣＨデータ（ＵＬ−ＳＣＨデータ）はＣＱＩ／ＰＭＩリソースの量（すなわち、符号化したシンボルの個数）を考慮してレートマッチングされる。ＵＬ−ＳＣＨデータと同一である変調次数（ｍｏｄｕｌａｔｉｏｎ  ｏｒｄｅｒ）がＣＱＩ／ＰＭＩに使われる。ＡＣＫ／ＮＡＣＫはＵＬ−ＳＣＨデータがマッピングされたＳＣ−ＦＤＭＡのリソースの一部にパンクチャリングによって挿入される。ＡＣＫ／ＮＡＣＫはＲＳのそばに位置し、該当ＳＣ−ＦＤＭＡシンボル内で下側から始まり、上側、つまり副搬送波インデックスが増加する方向に満たされる。ノーマルＣＰの場合、図面のようにＡＣＫ／ＮＡＣＫのためのＳＣ−ＦＤＭＡシンボルは各スロットにおいてＳＣ−ＦＤＭＡシンボル＃２／＃５に位置する。サブフレームでＡＣＫ／ＮＡＣＫが実際に送信されるかにかかわらず、符号化したＲＩはＡＣＫ／ＮＡＣＫのためのシンボルのそばに位置する。
【０１２７】
また、制御情報（例えば、ＱＰＳＫ変調使用）はＵＬ−ＳＣＨデータなしにＰＵＳＣＨ上で送信されるようにスケジュールされることができる。制御情報（ＣＱＩ／ＰＭＩ、ＲＩ及び／又はＡＣＫ／ＮＡＣＫ）は低いＣＭ（Ｃｕｂｉｃ  Ｍｅｔｒｉｃ）単一搬送波特性を維持するために、ＤＦＴスプレッディング以前に多重化される。ＡＣＫ／ＮＡＣＫ、ＲＩ及びＣＱＩ／ＰＭＩを多重化することは図１４に示したものと類似している。ＡＣＫ／ＮＡＣＫのためのＳＣ−ＦＤＭＡシンボルはＲＳのそばに位置し、ＣＱＩがマッピングされたリソースがパンクチャリングされることができる。ＡＣＫ／ＮＡＣＫ及びＲＩのためのＲＥの個数はレファレンスＭＣＳ（ＣＱＩ／ＰＭＩＭＣＳ）とオフセットパラメータに基づく。レファレンスＭＣＳはＣＱＩペイロードサイズ及びリソース割当から計算される。ＵＬ−ＳＣＨデータがない制御シグナリングのためのチャネルコーディング及びレートマッチングは上述したＵＬ−ＳＣＨデータがある制御シグナリングの場合と同様である。
【０１２８】
図１５は従来のＴＤＤＣＡでＡＣＫ／ＮＡＣＫペイロードを構成する例を示す。
【０１２９】
図１５を参照すると、端末はＵＬ  ＤＡＩ値を用いて全体ＡＣＫ／ＮＡＣＫペイロードサイズを調節することができる。ＵＬ  ＤＡＩはＵＬグラント（ＵＧ）ＤＣＩに含まれたＤＡＩを示す。すなわち、ＵＬ  ＤＡＩはＰＵＳＣＨをスケジュールするＰＤＣＣＨに含まれる。具体的に、端末は、ＵＬ  ＤＡＩ値と、該当ＣＣの送信モード及びバンドリング可否を考慮して各ＤＬ  ＣＣのためのＣＣ別ＡＣＫ／ＮＡＣＫペイロード（言い換えれば、ＡＣＫ／ＮＡＣＫパート）のサイズを決定することができる。また、端末は、各ＤＬ  ＣＣで受信されたＤＬ  ＤＡＩ値（等）を用いてＣＣ別ＡＣＫ／ＮＡＣＫペイロード内で各ＡＣＫ／ＮＡＣＫの位置を決定することができる。ＤＬ  ＤＡＩはＤＬグラント（ＤＧ）ＤＣＩに含まれたＤＡＩを示す。すなわち、ＵＬ  ＤＡＩはＰＤＳＣＨをスケジュールするＰＤＣＣＨに含まれるか、ＤＬ  ＳＰＳ解除を指示するＰＤＣＣＨに含まれる。
【０１３０】
具体的に、ｃ番目ＤＬ  ＣＣ（又はサービングセル）のためのＨＡＲＱ−ＡＣＫフィードバックビットを
【化５】
2020074508.tif 000013
と定義すると仮定する（ｃ≧０）。
【化６】
2020074508.tif 000014
はｃ番目ＤＬ  ＣＣのためのＨＡＲＱ−ＡＣＫペイロードのビット数（すなわち、サイズ）を示す。ｃ番目ＤＬ  ＣＣに対し、単一送信ブロック送信を支援する送信モードが設定されるか空間バンドリングが適用される場合、
【化７】
2020074508.tif 000015
として与えられることができる。一方、ｃ番目ＤＬ  ＣＣに対し、複数（例えば、２）の送信ブロック送信を支援する送信モードが設定され、空間バンドリングが適用されない場合、
【化８】
2020074508.tif 000016
として与えられることができる。
【化９】
2020074508.tif 000017
はｃ番目ＤＬ  ＣＣでＡＣＫ／ＮＡＣＫフィードバックが必要なＤＬサブフレームの個数（すなわち、ｍａｘＰＤＣＣＨｐｅｒＣＣ）を示す。ＰＤＣＣＨによってスケジュールされたＰＵＳＣＨを介してＨＡＲＱ−ＡＣＫが送信される場合、ｍａｘＰＤＣＣＨｐｅｒＣＣはＵＬ−ＤＡＩフィールドの値によって指示される。本例は、基地局がｍａｘＰＤＣＣＨｐｅｒＣＣ値の決定時にＳＰＳ  ＰＤＳＣＨまで考慮する場合を例示する（すなわち、ｍａｘＰＤＣＣＨｐｅｒＣＣ値＝３）。一方、ＰＵＣＣＨ又はＳＰＳ  ＰＵＳＣＨを介してＨＡＲＱ−ＡＣＫが送信される場合、ｍａｘＰＤＣＣＨｐｅｒＣＣ＝Ｍとして与えられる。
【０１３１】
ｃ番目ＤＬ  ＣＣに対し、単一送信ブロック送信を支援する送信モードが設定されるか空間バンドリングが適用される場合、ＣＣ別ＨＡＲＡ−ＡＣＫペイロード内で各ＡＣＫ／ＮＡＣＫの位置は
【化１０】
2020074508.tif 000018
として与えられる。ＤＡＩ（ｋ）はＤＬサブフレームｎ−ｋで検出されたＰＤＣＣＨのＤＬ  ＤＡＩ（ＤＡＩ−ｃ）値を示す。一方、ｃ番目ＤＬ  ＣＣに対し、複数（例えば、２）の送信ブロック送信を支援する送信モードが設定され、空間バンドリングが適用されない場合、ＣＣ別ＨＡＲＡ−ＡＣＫペイロード内で各ＡＣＫ／ＮＡＣＫの位置は
【化１１】
2020074508.tif 000019
として与えられる。
【化１２】
2020074508.tif 000020
はコードワード０のためのＨＡＲＱ−ＡＣＫを示し、
【化１３】
2020074508.tif 000021
はコードワード１のためのＨＡＲＱ−ＡＣＫを示す。
【０１３２】
一方、ＳＰＳ  ＰＤＳＣＨが存在する場合、ＳＰＳ  ＰＤＳＣＨに対するＨＡＲＱ−ＡＣＫの位置は該当ＣＣのためのＨＡＲＱ−ＡＣＫペイロードの
【化１４】
2020074508.tif 000022
に位置する。ＳＰＳ  ＰＤＳＣＨが存在するＣＣはＤＬＰＣＣに限定されることができる。
【０１３３】
その後、端末は複数のＣＣ別ＨＡＲＱ−ＡＣＫペイロード（すなわち、各ＣＣのためのＨＡＲＱ−ＡＣＫパート）をセルインデックスによって順次、好ましくは昇順に連続する。連続して構成された全体ＨＡＲＱ−ＡＣＫペイロードは物理チャネル送信のための信号処理（例えば、チャネルコーディング、変調、スクランブルなど）を経た後、ＰＵＣＣＨ又はＰＵＳＣＨを介して送信されることができる。
【０１３４】
（実施例：ｅＣＡ（ｅｎｈａｎｃｅｄ  ＣＡ）でのＡＣＫ／ＮＡＣＫ（Ａ／Ｎ）送信）
【０１３５】
図１５を参照して説明したように、ＴＤＤに基づく既存ＣＡシステムでは一つのＵＬ  ＳＦを介して複数セルでのＤＬデータ受信に対する複数のＨＡＲＱ−ＡＣＫフィードバックが送信されることができる。また、各セルに対応するＨＡＲＱ−ＡＣＫフィードバックは該当セル内の特定ＤＬ  ＳＦアグリゲーション（以下、バンドリングウィンドウ）でのＤＬデータ受信に対する複数のＨＡＲＱ−ＡＣＫ（Ａ／Ｎ）で構成されることができる。また、各セルをスケジュールするＤＬグラント（ＤＧ）ＤＣＩには対応するＤＬデータが該当セルのバンドリングウィンドウ内から何番目でスケジュールされたものであるかを指示するカウンター値がＤＡＩ（すなわち、ＤＬ  ＤＡＩ）に送信されることができ、ＵＬグラント（ＵＧ）ＤＣＩにも基地局から選択された特定の値がＤＡＩ（すなわち、ＵＬ  ＤＡＩ）に送信されることができる。これにより、端末はＰＵＣＣＨ／ＰＵＳＣＨ上の（セル別）Ａ／Ｎペイロードを構成するとき、ＤＬ  ＤＡＩ値の順にＡ／Ｎビットを配置することができる。特に、ＰＵＳＣＨ上のＡ／Ｎ送信に対しては（ＵＬ  ＤＡＩをＤＬ  ＤＡＩの最大値と見なし、各セル別に）ＵＬ  ＤＡＩ以下のＤＬ  ＤＡＩ値に対してのみペイロードを構成する方式でＡ／Ｎフィードバックサイズを減らすことができる。
【０１３６】
一方、次期のシステムでは既存より多い数（例えば、３２）のセルに対するＣＡを考慮している。この場合、一つのＵＬ  ＳＦに設定されるＡ／ＮフィードバックサイズはＣＡされたセル数に比例して非常に大きくなることができる。一方、多いセルに対してＣＡが設定された端末であっても毎ＳＦごとにＣＡされた全てのセルに対してＤＬスケジューリングが行われないこともある。言い換えれば、ＤＬトラフィックが多くない場合には、ＣＡされたセルのうち特定の一部に対してのみＤＬスケジューリングが行われることがある。よって、スケジュールされなかったセルに対応するＡ／Ｎに対する構成／送信をなるべく省略することによって全体Ａ／Ｎフィードバックサイズを減らすことが、Ａ／Ｎフィードバック送信性能及びＵＣＩ送信リソースオーバーヘッドなどの側面で効率的であり得る。
【０１３７】
以下、一つの端末に複数のセルがアグリゲーションされた場合、上りリンク制御情報、好ましくはＡＣＫ／ＮＡＣＫ（すなわち、ＨＡＲＱ−ＡＣＫ）を効率的に送信する方案を説明する。
【０１３８】
説明の便宜上、セルがｎｏｎ−ＭＩＭＯモードに設定された場合、該当セルのサブフレームｋで最大で一つの送信ブロック（Ｔｒａｎｓｐｏｒｔ  Ｂｌｏｃｋ、ＴＢ）（送信ブロックはコードワードと等価である）が送信されることができると仮定する。セルがＭＩＭＯモードに設定された場合、該当セルのＳＦ＃ｋで最大でｍ個（例えば、２個）の送信ブロック（又はコードワード）が送信されることができると仮定する。セルがＭＩＭＯモードに設定されたか否かは上位階層によって設定された送信モードから分かる。該当セルに対するＡＣＫ／ＮＡＣＫ（すなわち、ＡＣＫ／ＮＡＣＫビット、ＨＡＲＱ−ＡＲＱビット）の個数は実際に送信された送信ブロック（又はコードワード）の個数に関係なく、該当セルに対して設定された送信モードによって１個（ｎｏｎ−ＭＩＭＯ）又はｍ個（ＭＩＭＯ）となると仮定する。
【０１３９】
まず、本明細書で使う用語に対して整理する。
【０１４０】
・ＨＡＲＱ−ＡＣＫ：下りリンク送信（例えば、ＰＤＳＣＨ又はＤＬ  ＳＰＳ  ｒｅｌｅａｓｅ  ＰＤＣＣＨ）に対する受信応答結果、すなわちＡＣＫ／ＮＡＣＫ／ＤＴＸ応答（簡単に、ＡＣＫ／ＮＡＣＫ応答）を示す。ＡＣＫ／ＮＡＣＫ／ＤＴＸ応答はＡＣＫ、ＮＡＣＫ、ＤＴＸ又はＮＡＣＫ／ＤＴＸを意味する。特定のセルに対するＨＡＲＱ−ＡＣＫ又は特定のセルのＨＡＲＱ−ＡＣＫは該当セルと連関した（例えば、該当セルにスケジュールされた）下りリンク信号（例えば、ＰＤＳＣＨ）に対するＡＣＫ／ＮＡＣＫ応答を示す。ＰＤＳＣＨは送信ブロック又はコードワードに取り替えられることができる。（ｉ）ＳＰＳ  ＰＤＳＣＨ、（ｉｉ）ＰＤＣＣＨ（ＤＧ  ＤＣＩ）によってスケジュールされるＰＤＳＣＨ（以下、普通ＰＤＳＣＨ、ノンＳＰＳ  ＰＤＳＣＨ）、（ｉｉｉ）ＤＬ  ＳＰＳ解除ＰＤＣＣＨ（ＤＧ  ＤＣＩ）に対してＨＡＲＱ−ＡＣＫがフィードバックされる。ＳＰＳ  ＰＤＳＣＨは対応するＰＤＣＣＨ（ＤＧ  ＤＣＩ）が隋伴しない。
【０１４１】
・ＤＬ  ＳＰＳ解除ＰＤＣＣＨ：ＤＬ  ＳＰＳ解除を指示するＰＤＣＣＨを意味する。
【０１４２】
・ＳＰＳ  ＰＤＳＣＨ：ＳＰＳによって半静的に設定されたリソースを用いてＤＬ送信されるＰＤＳＣＨを意味する。ＳＰＳ  ＰＤＳＣＨは対応するＤＬグラントＰＤＣＣＨ（ＤＧ  ＤＣＩ）がない。本明細書で、ＳＰＳ  ＰＤＳＣＨはＰＤＳＣＨ  ｗｉｔｈｏｕｔ（ｗ／ｏ）  ＰＤＣＣＨ、ＳＰＳに基づくＰＤＳＣＨと混用する。
【０１４３】
・ＳＰＳ  ＰＵＳＣＨ：ＳＰＳによって半静的に設定されたリソースを用いてＵＬ送信されるＰＵＳＣＨを意味する。ＳＰＳ  ＰＵＳＣＨは対応するＵＬグラントＰＤＣＣＨ（ＵＧ  ＤＣＩ）がない。本明細書で、ＳＰＳ  ＰＵＳＣＨはＰＵＳＣＨ  ｗ／ｏ  ＰＤＣＣＨと混用する。
【０１４４】
・ＡＲＩ（ＡＣＫ／ＮＡＣＫ  Ｒｅｓｏｕｒｃｅ  Ｉｎｄｉｃａｔｏｒ）：ＰＵＣＣＨリソースを指示するための用途に使う。一例として、ＡＲＩは（上位階層によって構成された）特定のＰＵＣＣＨリソース（グループ）に対するリソース変形値（例えば、オフセット）を知らせる用途に使うことができる。他の例として、ＡＲＩは（上位階層によって構成された）ＰＵＣＣＨリソース（グループ）セット内で特定のＰＵＣＣＨリソース（グループ）インデックスを知らせる用途に使うことができる。ＡＲＩはＳＣｅｌｌ上のＰＤＳＣＨに対応するＰＤＣＣＨのＴＰＣ（Ｔｒａｎｓｍｉｔ  Ｐｏｗｅｒ  Ｃｏｎｔｒｏｌ）フィールドに含まれ得る。ＰＵＣＣＨ電力制御はＰＣｅｌｌをスケジュールするＰＤＣＣＨ（すなわち、ＰＣＣ上のＰＤＳＣＨに対応するＰＤＣＣＨ）内のＴＰＣフィールドを介して行われる。また、ＡＲＩはＤＡＩ（Ｄｏｗｎｌｉｎｋ  Ａｓｓｉｇｎｍｅｎｔ  Ｉｎｄｅｘ）初期値を有しながら特定のセル（例えば、ＰＣｅｌｌ）をスケジュールするＰＤＣＣＨを除いた残りのＰＤＣＣＨのＴＰＣフィールドに含まれ得る。ＡＲＩはＨＡＲＱ−ＡＣＫリソース指示値と混用する。
【０１４５】
・ＤＡＩ（Ｄｏｗｎｌｉｎｋ  Ａｓｓｉｇｎｍｅｎｔ  Ｉｎｄｅｘ）：ＰＤＣＣＨを介して送信されるＤＣＩに含まれる。ＤＡＩはＰＤＣＣＨの順序値又はカウンター値を示し得る。既存ＬＴＥ／ＬＴＥ−ＡでＴＤＤ動作のために使われる。便宜上、ＤＬグラントＰＤＣＣＨのＤＡＩはＤＬ  ＤＡＩと言い、ＵＧ  ＰＤＣＣＨ内のＤＡＩのＵＬ  ＤＡＩと言う。
【０１４６】
・ｔ−ＤＡＩ：各セル別にバンドリングウィンドウ内での時間軸（すなわち、ＳＦドメイン）上のＤＬスケジューリング情報をシグナリングするＤＡＩを示す。既存のＤＬ  ＤＡＩに相当する（図１５のＤＡＩ−ｃ参照）。本発明で、ｔ−ＤＡＩは既存とは違う情報をシグナリングするように変形されることができる。
【０１４７】
・（Ａ／Ｎ）バンドリングウィンドウ：端末はバンドリングウィンドウ内のＤＬデータ受信に対するＨＡＲＱ−ＡＣＫフィードバックをＵＬ  ＳＦを介して送信する。ＨＡＲＱ−ＡＣＫフィードバックがＳＦ＃ｎで送信される場合、バンドリングウィンドウはＳＦ＃ｎ−ｋと定義される。ＦＤＤでｋ＝４であり、ＴＤＤでｋは表５のＤＡＳＩ（Ｋ：｛ｋ０、ｋ１、…ｋＭ−１｝）によって定義される。バンドリングウィンドウはセル別に定義されることができる。
【０１４８】
・セル＃ＡをスケジュールするＰＤＣＣＨ（ＤＧ  ＤＣＩ）、セル＃ＡスケジューリングＰＤＣＣＨ（ＤＧ  ＤＣＩ）：セル＃Ａ上のＰＤＳＣＨをスケジュールするＰＤＣＣＨ（ＤＧ  ＤＣＩ）を示す。すなわち、ＣＣ＃Ａ上のＰＤＳＣＨに対応するＰＤＣＣＨ（ＤＧ  ＤＣＩ）を示す。若しくは、ＣＣ＃Ａ上で送信されるＤＧ  ＳＰＳ解除ＰＤＣＣＨ（ＤＧ  ＤＣＩ）を示す。
【０１４９】
・セル＃Ａに対するスケジューリング、セル＃Ａスケジューリング：セル＃Ａ上のＰＤＳＣＨ又はＤＧ  ＳＰＳ解除ＰＤＣＣＨ送信を意味する。若しくは、セル＃Ａ上でＰＤＳＣＨ又はＤＧ  ＳＰＳ解除ＰＤＣＣＨを送信することと関連する動作又は過程を意味し得る。例えば、セル＃Ａ上のＰＤＳＣＨ送信のために、該当ＰＤＳＣＨをスケジュールするＰＤＣＣＨを送信することを意味し得る。
【０１５０】
・ＣＳＳに基づくスケジューリング：（ｉ）ＰＤＳＣＨに対応するＰＤＣＣＨ又は（ｉｉ）ＤＧ  ＳＰＳ解除ＰＤＣＣＨがＣＳＳで送信されることを意味する。ＣＳＳに基づくＰＤＳＣＨはＣＳＳで送信されるＰＤＣＣＨがスケジュールするＰＤＳＣＨを意味する。
【０１５１】
・ＣＳＳ  ｒｅｓｔｒｉｃｔｉｏｎ：バンドリングウィンドウ内に行われる（最大）ＣＳＳに基づくスケジューリング数は特定値（例えば、１）以下に制限されることを示す。
【０１５２】
・ＳＰＳに基づくスケジューリング：文脈によって、ＤＧ  ＳＰＳ解除ＰＤＣＣＨ送信を意味するか、ＳＰＳ  ＰＤＳＣＨ送信又はＳＰＳ  ＰＵＳＣＨ送信を意味し得る。
【０１５３】
・ＬＣｅｌｌ及びＵＣｅｌｌ：ＬＣｅｌｌは兔許バンドで動作するセルを意味し、ＵＣｅｌｌは非兔許バンドで動作するセルを意味する。ＵＣｅｌｌではキャリアセンシングに基づいて通信が行われる。
【０１５４】
以下、ＣＡ状況でＤＧ／ＵＬグラントＤＣＩ内のＤＡＩシグナリングに基づいてＡ／Ｎフィードバックを効率的に行う方法（例えば、Ａ／Ｎフィードバックサイズ減少）に対して提案する。具体的に、（ＤＧ／ＵＬグラントＤＣＩを介した）ＤＡＩシグナリング方式及びこれに基づく（ＰＵＣＣＨ／ＰＵＳＣＨ上の）Ａ／Ｎペイロード構成方法などに対して提案する。一方、本発明においてＴＤＤ（又はＦＤＤ）と言うのはＰＣｅｌｌ又はＡ／Ｎ送信を行うセルがＴＤＤ（又はＦＤＤ）方式で動作する場合を含み、ＤＧ  ＳＦはＴＤＤに設定されるＳ  ＳＦを含むことができる。
【０１５５】
まず、（ｔ−ＤＡＩに加えて）同じＤＧ  ＳＦで周波数軸（すなわち、ＣＣ（セル）ドメイン）上のＤＧスケジューリング情報をシグナリングするＤＡＩ（以下、ｃ−ＤＡＩ）を考慮することができる。
【０１５６】
（１）ＤＧ／ＵＬグラントＤＣＩを介したｃ−ＤＡＩシグナリング方式
【０１５７】
各ＤＬ  ＳＦをスケジュールするＤＬグラント（ＤＧ）ＤＣＩによってシグナリングされるｃ−ＤＡＩ（以下、ＤＬ  ｃ−ＤＡＩ）は、１）ＤＧ  ＤＣＩによってスケジュールされるセルが該当ＤＬ  ＳＦ（又はバンドリングウィンドウ内）で任意の又は特定の（例えば、セルインデックス順）基準で全てのセルのうち何番目でスケジュールされたものであるかを指示するカウンター値を示すか（以下、ｃｏｕｎｔ−ＤＡＩ）、２）全てのセルに対して複数のセルグループ（すなわち、ＣＧ）を前もって設定しておいた状態で該当ＤＬ  ＳＦ（又はバンドリングウィンドウ）を介してスケジュールされる全てのセルがどのＣＧに属するかを指示することができる（以下、ｐｏｉｎｔ−ＤＡＩ）。各ＣＧは全ての又は一部のセルで構成されることができ、特定のセルは複数のＣＧに重複して設定されることができる。
【０１５８】
ＴＤＤにおいて、ｃ−ＤＡＩはＤＬ  ＳＦ別にシグナリングされることができる。特徴的に、ｃｏｕｎｔ−ＤＡＩの場合、Ａ／Ｎペイロード構成上の複雑度、ＤＬグラントＤＣＩミッシング（ｍｉｓｓｉｎｇ）などによるペイロード上のＡ／Ｎ配置に対する端末と基地局間の不一致などを考慮して（バンドリングウィンドウ内で）特定のセルに最初に割り当てられたｃ−ＤＡＩ値は該当セルにのみ割り当てられる形態にシグナリングされることができる。より具体的に、特定のセルに割り当てられるｃ−ＤＡＩ値は、１）以前ＤＬ  ＳＦを介して該当セルに既に割り当てられたｃ−ＤＡＩ値がある場合には該当ｃ−ＤＡＩ値がそのまま割り当てられ、２）ない場合には全てのセルに既に割り当てられなかったｃ−ＤＡＩ値のうち特定の（例えば、最小値／最低値）一つが割り当てられることができる。
【０１５９】
図１６は本例によるｃｏｕｎｔ−ＤＡＩ割当方法を例示する。一例として、セル１、２、３、４の４個のセルがＣＡを構成し、ＳＦ＃１を介してスケジュールされたセル１とセル３にそれぞれｃ−ＤＡＩ＝１とｃ−ＤＡＩ＝２が割り当てられたと仮定すれば、ＳＦ＃２を介してスケジュールされるセル１とセル２にはそれぞれｃ−ＤＡＩ＝１とｃ−ＤＡＩ＝３が割り当てられることができる。ｃｏｕｎｔ−ＤＡＩと一緒に、ｔ−ＤＡＩがさらに送信されることができる。ｔ−ＤＡＩは各セルでＳＦ軸上のスケジューリング順序値を示す。
【０１６０】
また、ＴＤＤ状況でｐｏｉｎｔ−ＤＡＩの場合にも、Ａ／Ｎペイロード構成上の複雑度、ＤＬグラントＤＣＩミッシングなどによるペイロード上のＡ／Ｎ配置に対する端末と基地局間の不一致などを考慮して（バンドリングウィンドウ内で）既にスケジュールされた全てのセルを含むＣＧを指示する形態にシグナリングされることができる。
【０１６１】
図１７は本例によるｐｏｉｎｔ−ＤＡＩ割当方法を例示する。一例として、セル１、２、３、４の４個のセルがＣＡを構成し、ＣＧ１、２、３がそれぞれセル１／２、セル１／２／３、セル１／２／３／４に設定された状況を仮定すれば、ＳＦ＃１を介してセル１と２がスケジュールされた場合、ＳＦ＃１をスケジュールするＤＬグラントＤＣＩ内のｃ−ＤＡＩはＣＧ１で指示されることができ、ＳＦ＃２を介してセル４がスケジュールされた場合、ｃ−ＤＡＩはＣＧ３で指示されることができ、ＳＦ＃３を介してセル１と３がスケジュールされた場合、ｃ−ＤＡＩはＣＧ３で指示されることができる。ｐｏｉｎｔ−ＤＡＩと一緒に、ｔ−ＤＡＩがさらに送信されることができる。ｔ−ＤＡＩは各セルでＳＦ軸上のスケジューリング順序値を示す。
【０１６２】
一方、ｃｏｕｎｔ−ＤＡＩは全てのセルを複数のＣＧに（分けて）構成／設定しておいた状態で全てのＣＧのうち何番目でスケジュールされたものであるかを指示するＣＧ単位のカウンター値を示し得る。この場合、各ＣＧは一部のセルのみで構成されることができ、各セルは一つのＣＧにのみ設定されることができる。このような方式は、ｃｏｕｎｔｅｒ−ＤＡＩが制限された数のビット（例えば、２ビット）のみで構成された（例えば、ｍｏｄｕｌｏ演算などによって複数の相異なるカウンター値が同じｃｏｕｎｔｅｒ−ＤＡＩビット組合せに対応する）状況で端末が複数（例えば、４個）のＤＬグラントＤＣＩ検出を連続的に失敗して特定のＤＬグラントＤＣＩ内のカウンター値を同じｃｏｕｎｔｅｒ−ＤＡＩビット組合せに対応する他のカウンター値と誤認する場合を防止する側面で有用であり得る。例えば、ｃｏｕｎｔ−ＤＡＩがセル単位のカウンター値を示し、ｃｏｕｎｔｅｒ−ＤＡＩが２ビットであると仮定すれば、ｃｏｕｎｔｅｒ−ＤＡＩ  ２ビット＝００、０１、１０、１１がそれぞれカウンター＝１／５、２／６、３／７、４／８に対応し得る。この場合、端末が４個のＤＬグラントＤＣＩ検出を連続的に失敗する場合、カウンター＝６を同じビット０１に対応するカウンター＝２と誤認し得る。
【０１６３】
図１８はｃｏｕｎｔ−ＤＡＩがＣＧ単位のカウンター値を示す場合のｃｏｕｎｔ−ＤＡＩ割当方法を例示する。一例として、ＦＤＤ状況でセル１、２、３、４、５の５個のセルがＣＡを構成し、ＣＧ１、２、３がそれぞれセル１／２、セル３／４、セル５に設定された状況を仮定する。この場合、セル１、３、４がスケジュールされた場合、各セルに対応するＤＧ  ＤＣＩ内のｃ−ＤＡＩ値はそれぞれ１、２、２としてシグナリングされ、セル３、４、５がスケジュールされた場合にはｃ−ＤＡＩ値がそれぞれ１、１、２としてシグナリングされることができる。
【０１６４】
ＣＧ単位のｃｏｕｎｔ−ＤＡＩが適用される場合（以下、ＣＧ−ｕｎｉｔ  ｃ−ＤＡＩ）、同じｃ−ＤＡＩに対応するＣＧ内のセル別（ＰＵＣＣＨ／ＰＵＳＣＨ上）Ａ／Ｎ配置はセルインデックス順に従い、ＣＧ単位のｃｏｕｎｔ−ＤＡＩに対してもＴＤＤでのｃ−ＤＡＩ割当規則が同様に適用可能である。追加的に、ＴＤＤ状況でＣＣ（すなわち、セル）ドメインとＳＦドメインを結合してＣＣ  ｆｉｒｓｔ方式で（ｓｃｈｅｄｕｌｉｎｇ）カウンター値をシグナリングする場合にもＣＧ単位のｃｏｕｎｔ−ＤＡＩが適用可能である。一例として、図１８のように３個のＣＧ設定を考慮し、３個のＳＦで構成されたバンドリングウィンドウを仮定することができる。この場合、ＳＦ＃１を介してセル｛１、３、４｝、ＳＦ＃２を介してセル｛１、３、４、５｝、ＳＦ＃３を介してセル｛１、２｝がスケジュールされた場合、各ＳＦでのセル別ｃ−ＤＡＩ値はＳＦ＃１の場合｛１、２、２｝、ＳＦ＃２の場合｛３、４、４、５｝、ＳＦ＃３の場合｛６、６｝のようにシグナリングされることができる。ＣＧ−ｕｎｉｔ  ｃ−ＤＡＩはＵＣｅｌｌが含まれたＣＡ状況、又は特定数以上のＵＣｅｌｌが含まれたＣＡ状況に適用可能である。他の方法として、（特定数以上の）ＵＣｅｌｌを含むＣＡ状況ではそうではないＣＡ状況よりｃ−ＤＡＩ構成ビット数を増加させることも可能である。この場合、ＣＧ−ｕｎｉｔ  ｃ−ＤＡＩを適用せず、セル単位でｃ−ＤＡＩを適用することができる。
【０１６５】
一方、最大送信可能ＴＢ数Ｎｔが同一であるセルグループ（ＣＧ）別にｃｏｕｎｔｅｒ−ＤＡＩシグナリングを異に構成することを考慮することができる。例えば、Ｎｔ＝２のＣＧに対応するＤＧ  ＤＣＩ内のｃｏｕｎｔｅｒ−ＤＡＩを介してスケジュールされたセルのカウンター値がシグナリングされる反面、Ｎｔ＝１のＣＧに対応するＤＧ  ＤＣＩ内のｃｏｕｎｔｅｒ−ＤＡＩを介してはスケジュールされたＴＢのカウンター値がシグナリングされることができる。具体的に、Ｎｔ＝２のＣＧに対しては２ビットＤＡＩ｛００、０１、１０、１１｝を適用してＴＢレベルでカウンター＝２、４、６、８、…の値を指示することができる。また、Ｎｔ＝１のＣＧに対しては３ビットＤＡＩ｛０００、００１、０１０、…、１１１｝を適用してカウンター＝１、２、３、…、８、…の値を指示することができる。このような状況で、一つのＳＦ内でＣＡ全体に対するｃｏｕｎｔｅｒ−ＤＡＩはＮｔ＝２のＣＧから先にカウントしてＮｔ＝１のＣＧを後で、カウント値をシグナリングすることができる。この場合、ＴＤＤ状況で特定のＳＦでＮｔ＝１のＣＧの最後のＤＡＩが奇数のカウンター値を指示した状態で、次のＳＦにＮｔ＝２のＣＧのスケジューリングが存在する場合、これに対応するカウンター値をどのようにシグナリング／適用するかを前もって定義することが必要であり得る。よって、Ｎｔ＝１のＣＧのカウンター＃１値（例えば、３）につながるＮｔ＝２のＣＧのカウンター＃２値は、カウンター＃１値にＭｔを加えたカウンター＃１ａ値（例えば、５）以上の最小カウンター値（例えば、６）に決定することを考慮することができる。Ｍｔは２に固定されるか、（カウンター＃２に対応する）実際にスケジュールされたＴＢ数に決定されることができる。カウンター＃１ａ値とカウンター＃２値の間に存在するカウンター値に対応するビットはＮＡＣＫで処理することができる。前記方法は、一つのＳＦ内で全てのｃｏｕｎｔｅｒ−ＤＡＩがＮｔ＝１のＣＧから先にカウントし、Ｎｔ＝２のＣＧを後でカウントした値をシグナリングする状況でも同様に適用可能である。
【０１６６】
また、ＴＤＤ状況で各セル別にシグナリングされるｔ−ＤＡＩはバンドリングウィンドウ内の全てのＳＦを複数のＳＦグループ（すなわち、ＳＧ）に（分けて）構成／設定しておいた状態で、スケジュールされたＳＦ（これを含むＳＧ）が全てのＳＧのうち何番目でスケジュールされたＳＧであるかを指示するＳＧ単位のカウンター値をシグナリングするようにすることができる（以下、ＳＧ−ｕｎｉｔｔ−ＤＡＩ）。一例として、特定のセルに設定されたバンドリングウィンドウが６個のＳＦで構成され、ＳＧ１、２、３がそれぞれＳＦ＃１／２、ＳＦ＃３／４、ＳＦ＃５／６に設定された状況を仮定することができる。この場合、ＳＦ＃１、３、４、５がスケジュールされた場合、各ＳＦに対応するＤＧ  ＤＣＩ内のｔ−ＤＡＩ値はそれぞれ１、２、２、３を指示するようにシグナリングされることができ、ＳＦ＃１、５、６がスケジュールされた場合にはｔ−ＤＡＩ値はそれぞれ１、２、２を指示するようにシグナリングされることができる。ＳＧ−ｕｎｉｔｔ−ＤＡＩはＵＣｅｌｌにのみ限定的に適用可能である。また、ＵＣｅｌｌの場合には（ＳＧ−ｕｎｉｔ  ｔ−ＤＡＩ適用なしに）ＬＣｅｌｌの場合よりｔ−ＤＡＩ構成ビット数を増加させるか、ＵＣｅｌｌの場合にはｔ−ＤＡＩシグナリング（フィールド構成）を省略し、該当ＵＣｅｌｌに対応するＡ／Ｎビットは全体Ａ／Ｎペイロード上にＳＦインデックス／番号順に配置／マッピングすることも可能である。
【０１６７】
一方、特定のセル（例えば、ＰＣｅｌｌ）に対するスケジューリング（又は特定の（例えば、ＳＰＳ又はＣＳＳに基づく）スケジューリング）の場合にはｃ−ＤＡＩシグナリング対象から除かれることができる。よって、ｃ−ＤＡＩは特定のセル（又は特定のスケジューリング）を除いた残りのセルをスケジュールするＤＣＩによってのみシグナリングされることができる。具体的に、ｃｏｕｎｔ−ＤＡＩには特定のセル（又は特定のスケジューリング）を除いた残りのセルに対するスケジューリングのみを考慮してセル別（スケジューリング）カウンター値が割り当てられることができる。この場合、特定のセル（又は特定のスケジューリング）に対応するＡ／Ｎフィードバックはシグナリングされたｃｏｕｎｔ−ＤＡＩ値にかかわらず、いつもＰＵＣＣＨ／ＰＵＳＣＨ上のＡ／Ｎペイロードに含まれることができる（例えば、ＭＳＢ（Ｍｏｓｔ  Ｓｉｇｎｉｆｉｃａｎｔ  Ｂｉｔ）又はこれを含む低いビットインデックスに配置／マッピング）。また、ｐｏｉｎｔ−ＤＡＩは特定のセルを除いた残りのセルのみでＣＧを構成した状態で（スケジュールされた）ＣＧを指示することができる。この場合にも、特定のセルに対応するＡ／Ｎフィードバックはシグナリングされたｐｏｉｎｔ−ＤＡＩ値にかかわらず、いつもＰＵＣＣＨ／ＰＵＳＣＨ上のＡ／Ｎペイロードに含まれることができる。
【０１６８】
さらに他の方法として、（ＤＧ  ＤＣＩによって）スケジュールされるセルが全てのセルのうち何番目でスケジュールされたものであるか、すなわちスケジューリング順序値を指示するｃｏｕｎｔ−ＤＡＩ及び／又はＤＧ  ＤＣＩ送信が行われるＳＦにおいて全てのセルのうちいくつのセルがスケジュールされたものであるか、すなわちスケジューリング総和値（又はこれを類推することができる情報）を指示するｔｏｔａｌ−ＤＡＩ値が該当ＤＧ  ＤＣＩによってシグナリングされる状況を考慮することができる。本発明において、ｔｏｔａｌ−ＤＡＩはこれに相応する総スケジューリング数又は最後のスケジューリングを知らせる情報に代替／考慮することができる。この場合、ＦＤＤ状況であるか又はＴＤＤ状況であるかによって次のようなＤＡＩ構成及び端末動作が可能である。
【０１６９】
１）ＦＤＤ  ｃａｓｅ
【０１７０】
Ａ．Ａｌｔ  １：ＤＡＩがどのセルに対するＤＧ  ＤＣＩによってもシグナリングされる場合
【０１７１】
ＣＳＳ又はＳＰＳに基づくスケジューリングにはＤＡＩシグナリングが伴われず、ＰＣｅｌｌとＳＣｅｌｌのＵＳＳに基づくスケジューリングにのみＤＡＩシグナリングが伴われることができる。ここで、ｃｏｕｎｔ−ＤＡＩはＣＳＳ又はＳＰＳに基づくスケジューリングを含むか（Ｏｐｔ  １）又は排除した（Ｏｐｔ  ２）順序値に決定／定義することができる。ｔｏｔａｌ−ＤＡＩはＣＳＳ又はＳＰＳに基づくスケジューリングを含む総和値に決定／定義することができる。この場合、ＣＳＳ又はＳＰＳに基づくスケジューリングに対応するＡ／Ｎビットは全体Ａ／Ｎペイロード上でＭＳＢ（すなわち、ｃｏｕｎｔｅｒ−ＤＡＩ＝１に対応するＡ／Ｎ）（Ｏｐｔ  １の場合）又はＬＳＢ（Ｏｐｔ  ２の場合）に配置／マッピングされることができる。本発明において、ｃｏｕｎｔ−ＤＡＩ＝１は、最初スケジューリングに対応する（又は最初スケジューリングに対応するＤＧ  ＤＣＩによってシグナリングされる）ｃｏｕｎｔ−ＤＡＩ値又はｃｏｕｎｔ−ＤＡＩの初期値を意味し得る。ｃｏｕｎｔ−ＤＡＩの初期値は他の値（例えば、０）に決まることができる。
【０１７２】
他の方法として、ｃｏｕｎｔ−ＤＡＩはＣＳＳに基づくスケジューリングは含むがＳＰＳに基づくスケジューリングは排除した順序値に決定／定義することができる。また、ｔｏｔａｌ−ＤＡＩはＣＳＳ又はＳＰＳに基づくスケジューリングを含む総和値に決定／定義することができる。この場合、ＣＳＳに基づくスケジューリングに対応するＡ／Ｎビットは全体Ａ／Ｎペイロード上でＭＳＢ（すなわち、ｃｏｕｎｔｅｒ−ＤＡＩ＝１に対応するＡ／Ｎ）に配置／マッピングされ、ＳＰＳに基づくスケジューリングに対応するＡ／Ｎビットは全体Ａ／Ｎペイロード上でＬＳＢに配置／マッピングされることができる。
【０１７３】
一方、ＤＡＩ（特に、ｔｏｔａｌ−ＤＡＩ）シグナリングが伴われない（例えば、ＣＳＳ又はＳＰＳに基づく）ＰＤＳＣＨのみスケジュールされた状況で、これに対応するＡ／Ｎ送信時点にＰＵＳＣＨ送信がスケジュール／設定されることができる。この場合、端末は、１）該当ＰＤＳＣＨ受信に対応する（例えば、１ビット）Ａ／ＮのみをＰＵＳＣＨにピギーバック送信するか、２）前もって指定された（最小）サイズ（例えば、特定のカウンター値（例えば、４）までに対応するＡ／Ｎビット数（例えば、４又は８）だけ）のＡ／Ｎペイロードを構成してＰＵＳＣＨにピギーバック送信するか、３）最大サイズ（例えば、全体セル／ＳＦ（すなわち、セルとＳＦの対（セル−ＳＦ対））が皆スケジュールされることを仮定して最後のカウンター値までに対応するＡ／Ｎビット数だけ）のＡ／Ｎペイロードを構成してＰＵＳＣＨにピギーバック送信することができる。２）と３）の場合、該当ＰＤＳＣＨ受信に対応する（例えば、１ビット）Ａ／Ｎは全体Ａ／Ｎペイロード上でＭＳＢ又はＬＳＢに配置／マッピングされることができる。一方、前記動作は（ＤＧ  ＤＣＩによって受信されたｔｏｔａｌ−ＤＡＩが存在しないとともに）（ｉ）ＰＵＳＣＨに対応するＵＧ  ＤＣＩ送信が伴われないか、（ｉｉ）ＰＵＳＣＨに対応するＵＧ  ＤＣＩによって（ｔｏｔａｌ−ＤＡＩに相応する）ＵＬ  ＤＡＩがシグナリングされなかった場合にのみ限定的に適用することができる。
【０１７４】
一方、ＰＵＳＣＨを介したＡ／Ｎピギーバック送信において、ＤＧ  ＤＣＩによって受信されたｔｏｔａｌ−ＤＡＩのみ存在するかＵＧ  ＤＣＩによって受信された（ｔｏｔａｌ−ＤＡＩに相応する）ＵＬ  ＤＡＩのみ存在する場合、端末は一つのＤＡＩ（ｔｏｔａｌ−ＤＡＩ又はＵＬ  ＤＡＩ）値に基づいてＡ／Ｎペイロードを構成することができる。一方、ＰＵＳＣＨを介したＡ／Ｎピギーバック送信において、ＤＧ  ＤＣＩによって受信されたｔｏｔａｌ−ＤＡＩとＵＧ  ＤＣＩによって受信されたＵＬ  ＤＡＩが皆存在するとともに二つの値が互いに違うことがあり得る。この場合、端末は、１）ＵＬ  ＤＡＩ値に基づいてＡ／Ｎペイロードを構成してＰＵＳＣＨにＡ／Ｎを送信するか、２）ＵＬ  ＤＡＩとｔｏｔａｌ−ＤＡＩのうち最大値に基づいてＡ／Ｎペイロードを構成してＰＵＳＣＨにＡ／Ｎを送信するか、３）ｔｏｔａｌ−ＤＡＩ値に基づいてＡ／Ｎペイロードを構成してＰＵＣＣＨにＡ／Ｎを送信（これと同時にＰＵＳＣＨ送信は省略／放棄）するか、４）ＵＬ  ＤＡＩとｔｏｔａｌ−ＤＡＩのうち最大値に基づいてＡ／Ｎペイロードを構成してＰＵＣＣＨにＡ／Ｎを送信（これと同時にＰＵＳＣＨ送信は省略／放棄）することができる。
【０１７５】
さらに他の方法として、Ａ／Ｎに対するピギーバック送信はｔｏｔａｌ−ＤＡＩと同一のＵＬ  ＤＡＩ値を有するＰＵＳＣＨを介してのみ行うように限定することができる。ｔｏｔａｌ−ＤＡＩと違うＵＬ  ＤＡＩ値を有するＰＵＳＣＨはＡ／Ｎピギーバックなしに送信されるか、送信そのものが省略／放棄されることができる。ｔｏｔａｌ−ＤＡＩと同一のＵＬ  ＤＡＩ値を有するＰＵＳＣＨが一つも存在しない場合、３）のように全てのＰＵＳＣＨ送信を省略／放棄した状態でｔｏｔａｌ−ＤＡＩ値に基づいてＡ／Ｎペイロードを構成してＰＵＣＣＨにＡ／Ｎを送信することができる。
【０１７６】
ｔｏｔａｌ−ＤＡＩシグナリングとＡＲＩシグナリングを共に伴わない（例えば、ｃｏｕｎｔ−ＤＡＩ＝１に対応するＣＳＳに基づく）ＰＤＳＣＨ（又はＳＰＳに基づくＰＤＳＣＨ）のみスケジュールされた状況で、これに対応するＡ／Ｎを含むＵＣＩが周期的ＣＳＩ送信用途に（上位階層シグナリングによって半静的に）設定されたＰＵＣＣＨフォーマット３（ＰＦ３）又はＰＵＣＣＨフォーマット４（ＰＦ４）を介して送信される場合にも前記と類似の方式でＰＵＣＣＨ上のＡ／Ｎペイロード構成及びＡ／Ｎビット配置／マッピングを行うことができる。
【０１７７】
さらに他の方法として、Ａ／Ｎを含むＵＣＩがＰＵＳＣＨ又はＰＵＣＣＨ（例えば、周期的ＣＳＩ送信用途に設定されたＰＵＣＣＨ）を介して送信されるとき、ＰＵＳＣＨ上のＡ／Ｎペイロード又はＰＵＣＣＨ上の全体ＵＣＩペイロード内で、ｔｏｔａｌ−ＤＡＩ及び／又はＡＲＩシグナリングを伴わない（例えば、ＣＳＳ又はＳＰＳに基づく）ＰＤＳＣＨスケジューリングに対応するＡ／Ｎビット（例えば、１ビット）は（実際のスケジューリング有無に関係なく）いつもＡ／Ｎペイロード上の特定位置（例えば、ＬＢＳ又はＭＳＢ）に割当／構成された形態に送信されることができる。
【０１７８】
Ｂ．Ａｌｔ  ２：ＤＡＩがＳＣｅｌｌに対するＤＧ  ＤＣＩによってのみシグナリングされる場合
【０１７９】
ＰＣｅｌｌに対するスケジューリングにはＤＡＩシグナリングが伴われず、ＳＣｅｌｌに対するスケジューリングにのみＤＡＩシグナリングが伴われることができる。ここで、ｃｏｕｎｔ−ＤＡＩはＰＣｅｌｌスケジューリングを含むか（Ｏｐｔ  １）あるいは排除した（Ｏｐｔ  ２）順序値に決定／定義することができる。ｔｏｔａｌ−ＤＡＩはＰＣｅｌｌスケジューリングを含む総和値に決定／定義することができる。ＰＣｅｌｌスケジューリングに対応するＡ／Ｎビットは全体Ａ／Ｎペイロード上でＭＳＢ（すなわち、ｃｏｕｎｔｅｒ−ＤＡＩ＝１に対応するＡ／Ｎと見なす）（Ｏｐｔ  １の場合）又はＬＳＢ（Ｏｐｔ  ２の場合）に配置／マッピングされることができる。
【０１８０】
２．ＴＤＤ  ｃａｓｅ
【０１８１】
Ａ．Ａｌｔ  １−１：ＤＡＩがどのセルに対するＤＧ  ＤＣＩによってもシグナリングされる場合
【０１８２】
ＳＰＳに基づくスケジューリングにはＤＡＩシグナリングが伴われず、ＣＳＳに基づくスケジューリングには（ｔｏｔａｌ−ＤＡＩシグナリングなしに）ｃｏｕｎｔ−ＤＡＩシグナリングのみ伴われることができる。ＰＣｅｌｌとＳＣｅｌｌのＵＳＳに基づくスケジューリングにはｃｏｕｎｔ−ＤＡＩ及びｔｏｔａｌ−ＤＡＩシグナリングが伴われることができる。ここで、ｃｏｕｎｔ−ＤＡＩはＳＰＳに基づくスケジューリングを排除した順序値に決定／定義され、ｔｏｔａｌ−ＤＡＩはＣＳＳ又はＳＰＳに基づくスケジューリングを含む総和値に決定／定義されることができる。ここで、ＳＰＳに基づくスケジューリングに対応するＡ／Ｎビットは全体Ａ／Ｎペイロード上でＬＳＢに配置／マッピングされることができる。この場合、ｃｏｕｎｔ−ＤＡＩ＝１のＰＣｅｌｌスケジューリングＤＧ  ＤＣＩのＴＰＣフィールドを介してＴＰＣコマンドが送信され、残りのＤＧ  ＤＣＩ（すなわち、ｃｏｕｎｔ−ＤＡＩ＝１ではないかあるいはＳＣｅｌｌスケジューリングＤＧ  ＤＣＩ）のＴＰＣフィールドを介してはＡＲＩが送信されることができる。よって、ｃｏｕｎｔ−ＤＡＩ＝１のＰＣｅｌｌスケジューリング及び／又はＳＰＳに基づくスケジューリングのみを受信した場合、端末は該当スケジューリングに対応するＡ／ＮのみをＰＵＣＣＨフォーマット１ａ／１ｂ（ｗｉｔｈ  ｃｈａｎｎｅｌ  ｓｅｌｅｃｔｉｏｎ）を用いて送信することができる。
【０１８３】
一方、ＳＰＳに基づくスケジューリングの場合、ＳＰＳ  ＰＤＳＣＨに対するＡ／Ｎ送信用ＰＵＣＣＨフォーマット１ａ／１ｂ（すなわち、ＰＦ１）リソース候補（等）を上位階層（例えば、ＲＲＣ）シグナリングを介して前もって設定しておいた状態で、ＤＬ  ＳＰＳ活性化を指示するＰＤＣＣＨ内のＴＰＣフィールドを介してリソース候補（等）の一つをＳＰＳ  ＰＤＳＣＨに対応するＡ／Ｎ送信ＰＦ１リソースに割り当てる方法が適用されている。一方、本発明の動作によると、ｃｏｕｎｔ−ＤＡＩ＝１ではないｃｏｕｎｔ−ＤＡＩ値を有しながらＰＣｅｌｌをスケジュールするＤＧ  ＰＤＣＣＨ内のＴＰＣフィールドを介しては複数のＰＦ３又はＰＦ４リソースの一つを指示するＡＲＩがシグナリングされることができる。仮に、該当ＰＤＣＣＨがＤＬ  ＳＰＳ活性化を指示するＰＤＣＣＨの場合には、ＴＰＣフィールドを介してＳＰＳ用ＰＦ１リソースも指示されるとできる。この場合、一つのＴＰＣフィールド値でＰＦ３／ＰＦ４リソースとＳＰＳ用ＰＦ１リソースを同時に指示するとできる。これはＰＦ３／ＰＦ４とＳＰＳ用ＰＦ１のそれぞれに対するリソース選択自由度を低下させることができる。
【０１８４】
これに鑑みて、ＤＬ  ＳＰＳ活性化を指示するＰＤＣＣＨ内のＴＰＣフィールドを介して（ＰＦ３／ＰＦ４などの他のリソースに対する指示なしに）ＳＰＳ用ＰＦ１リソースのみを指示する方式を考慮することができる。すなわち、ＤＬ  ＳＰＳ活性化を指示するＰＤＣＣＨ内のＴＰＣフィールドはｃｏｕｎｔ−ＤＡＩ値にかかわらずＳＰＳ用ＰＦ１リソースを指示する用途にのみ使うことができる。よって、ＤＬ  ＳＰＳ活性化を指示するＰＤＣＣＨ及び／又はｃｏｕｎｔ−ＤＡＩ＝１を有するＰＣｅｌｌスケジューリングＤＧ  ＤＣＩのみを受信した場合にも該当ＰＤＣＣＨ／スケジューリングに対応するＡ／ＮのみをＰＵＣＣＨフォーマット１ａ／１ｂ（ｗｉｔｈ  ｃｈａｎｎｅｌ  ｓｅｌｅｃｔｉｏｎ）を用いて送信する方法を考慮することができる。ここで、ＤＬ  ＳＰＳ活性化ＰＤＣＣＨに対応するＰＤＳＣＨに対するＡ／Ｎリソースは、１）該当ＰＤＣＣＨ送信リソースに黙示的にリンクされたＰＦ１リソースが割り当てられるとか（数学式１、２）該当ＰＤＣＣＨ内のＴＰＣフィールドを介して指示されるＳＰＳ用ＰＦ１リソースが割り当てられることができる。提案方法はｔ−ＤＡＩシグナリングに基づく既存のＴＤＤ状況にも（ｃｏｕｎｔ−ＤＡＩをｔ−ＤＡＩに取り替えて）同様に適用可能である。
【０１８５】
一方、ＤＡＩ（特に、ｔｏｔａｌ−ＤＡＩ）シグナリングが伴われない（例えば、ＣＳＳ及び／又はＳＰＳに基づく）ＰＤＳＣＨのみスケジュールされた状況で、これに対応するＡ／Ｎ送信時点にＰＵＳＣＨ送信がスケジュール／設定されることができる。この場合、端末は、１）該当ＰＤＳＣＨ受信に対応するＡ／ＮのみをＰＵＳＣＨに送信するか（例えば、ＣＳＳ  ｒｅｓｔｒｉｃｔｉｏｎ仮定の際、ＣＳＳとＳＰＳのうち一つのみがスケジュールされた場合は１ビットＡ／Ｎ、ＣＳＳとＳＰＳが共にスケジュールされた場合は２ビットＡ／Ｎ）、２）前もって指定された（最小）サイズ（例えば、特定のカウンター値（例えば、４）までに対応するＡ／Ｎビット数（例えば、４又は８）だけ）のＡ／Ｎペイロードを構成してＰＵＳＣＨに送信するか、３）最大サイズ（例えば、全体セル／ＳＦが全てスケジュールされることを仮定して最後のカウンター値までに対応するＡ／Ｎビット数）のＡ／Ｎペイロードを構成してＰＵＳＣＨに送信することができる。２）と３）の場合、該当ＰＤＳＣＨ受信に対応する（例えば、１ビット又は２ビット）Ａ／Ｎは全体Ａ／Ｎペイロード上でＭＳＢ又はＬＳＢに配置／マッピングされることができる。一方、前記動作は（ＤＧ  ＤＣＩによって受信されたｔｏｔａｌ−ＤＡＩが存在しないとともに）ＰＵＳＣＨに対応するＵＧ  ＤＣＩ送信が伴われないか、ＰＵＳＣＨに対応するＵＧを介して（ｔｏｔａｌ−ＤＡＩに相応する）ＵＬ  ＤＡＩがシグナリングされなかった場合にのみ限定的に適用可能である。
【０１８６】
一方、ＰＵＳＣＨを介したＡ／Ｎピギーバック送信において、ＤＧ  ＤＣＩによって受信されたｔｏｔａｌ−ＤＡＩのみ存在するか、ＵＧ  ＤＣＩによって受信された（ｔｏｔａｌ−ＤＡＩに相応する）ＵＬ  ＤＡＩのみ存在することができる。この場合、端末は一つのＤＡＩ（ｔｏｔａｌ−ＤＡＩ又はＵＬ  ＤＡＩ）値に基づいてＡ／Ｎペイロードを構成することができる。一方、ＰＵＳＣＨを介したＡ／Ｎピギーバック送信において、ＤＧ  ＤＣＩによって受信されたｔｏｔａｌ−ＤＡＩとＵＧ  ＤＣＩによって受信されたＵＬ  ＤＡＩが共に存在しながら二つの値が互いに違うことがあり得る。この場合、端末は、１）ＵＬ  ＤＡＩ値に基づいてＡ／Ｎペイロードを構成してＰＵＳＣＨでＡ／Ｎを送信するか、２）ＵＬ  ＤＡＩとｔｏｔａｌ−ＤＡＩのうち最大値に基づいてＡ／Ｎペイロードを構成してＰＵＳＣＨでＡ／Ｎを送信するか、３）ｔｏｔａｌ−ＤＡＩ値に基づいてＡ／Ｎペイロードを構成してＰＵＣＣＨでＡ／Ｎを送信するか（これとともにＰＵＳＣＨ送信は省略／放棄）、４）ＵＬ  ＤＡＩとｔｏｔａｌ−ＤＡＩのうち最大値に基づいてＡ／Ｎペイロードを構成してＰＵＣＣＨにＡ／Ｎを送信することができる（これとともにＰＵＳＣＨ送信は省略／放棄）。他の方法として、Ａ／Ｎに対するピギーバック送信はｔｏｔａｌ−ＤＡＩと同一のＵＬ  ＤＡＩ値を有するＰＵＳＣＨを介して行うように限定されることができる。ここで、ｔｏｔａｌ−ＤＡＩと違うＵＬ  ＤＡＩ値を有するＰＵＳＣＨはＡ／Ｎピギーバックなしに送信されるか、ＰＵＳＣＨ送信そのものが省略／放棄されることができる。ｔｏｔａｌ−ＤＡＩと同一のＵＬ  ＤＡＩ値を有するＰＵＳＣＨが一つも存在しない場合、３）のように全てのＰＵＳＣＨ送信を省略／放棄した状態でｔｏｔａｌ−ＤＡＩ値に基づいてＡ／Ｎペイロードを構成してＰＵＣＣＨにＡ／Ｎを送信することができる。
【０１８７】
一方、ＣＳＳに基づくスケジューリングの場合、対応するＤＧ  ＤＣＩによってｃｏｕｎｔ−ＤＡＩシグナリングが伴われるようにすることができる。この状況で、ＣＳＳに基づくＰＤＳＣＨのみスケジュールされた場合、端末は、Ｏｐｔ  １）ｃｏｕｎｔｅｒ−ＤＡＩ値までに対応するＡ／Ｎペイロードのみを構成してＰＵＳＣＨに送信するか、Ｏｐｔ  ２）前もって指定された（最小）サイズのＡ／Ｎペイロードを構成してＰＵＳＣＨに送信するが、ＣＳＳに基づくＰＤＳＣＨ受信に対するＡ／Ｎはペイロード上でｃｏｕｎｔｅｒ−ＤＡＩ値に対応するビットに配置／マッピングされることができる。この状況で、ＳＰＳに基づくスケジューリングがさらに存在する場合、端末は、１）Ｏｐｔ  １に基づいて構成されたペイロードの最後（又は最初）に１ビットを付け加え、ＳＰＳに基づくＰＤＳＣＨ受信に対応するＡ／Ｎを該当１ビット、すなわち全体ペイロード上のＬＳＢ（又はＭＳＢ）に配置／マッピングし、２）Ｏｐｔ  ２に基づいて構成されたペイロード上のＬＳＢ（又はＭＳＢ）にＳＰＳに基づくＰＤＳＣＨ受信に対応するＡ／Ｎを配置／マッピングし、ＣＳＳに基づくＰＤＳＣＨに対応するＡ／Ｎが既にＬＳＢ（又はＭＳＢ）に配置／マッピングされている場合には、ペイロードの最後（又は最初）に１ビットを付け加え、ＳＰＳに基づくＰＤＳＣＨ受信に対応するＡ／Ｎを該当１ビットに配置／マッピングすることができる。
【０１８８】
一方、ｔｏｔａｌ−ＤＡＩシグナリングは伴わずにＰＦ３リソース又はＰＦ４リソースを指示するＡＲＩシグナリングが伴われた（例えば、ｃｏｕｎｔ−ＤＡＩ＞１に対応するＣＳＳに基づく）ＰＤＳＣＨ（及び／又はＳＰＳに基づくＰＤＳＣＨ）のみスケジュールされた状況で、これに対応するＡ／Ｎを含むＵＣＩがＡＲＩによって指示されたＰＦ３又はＰＦ４を介して送信されることができる。この場合、前記と類似の方式（例えば、Ｏｐｔ  １〜２）で該当ＰＵＣＣＨ上のＡ／Ｎペイロード構成及びＡ／Ｎビット配置／マッピングを行うことができる。また、ｔｏｔａｌ−ＤＡＩシグナリングとＡＲＩシグナリングのいずれも伴わない（例えば、ｃｏｕｎｔ−ＤＡＩ＝１に対応するＣＳＳに基づく）ＰＤＳＣＨ（及び／又はＳＰＳに基づくＰＤＳＣＨ）のみスケジュールされた状況で、これに対応するＡ／Ｎを含むＵＣＩが周期的ＣＳＩ送信用途に（上位階層シグナリングを介して半静的（ｓｅｍｉ−ｓｔａｔｉｃ）に）設定されたＰＦ３又はＰＦ４を介して送信されることができる。この場合にも前記と類似の方式（例えば、Ｏｐｔ  １〜２）で該当ＰＵＣＣＨ上のＡ／Ｎペイロード構成及びＡ／Ｎビット配置／マッピングを行うことができる。
【０１８９】
さらに他の方法として、Ａ／Ｎを含むＵＣＩがＰＵＳＣＨ又はＰＵＣＣＨ（例えば、ＡＲＩによって指示されたＰＵＣＣＨ又は周期的ＣＳＩ送信用途に設定されたＰＵＣＣＨ）を介して送信されるとき、ＰＵＳＣＨ上のＡ／Ｎペイロード又はＰＵＣＣＨ上の全体ＵＣＩペイロード内で、ｔｏｔａｌ−ＤＡＩ及び／又はＡＲＩシグナリングを伴わない（例えば、ＣＳＳ及び／又はＳＰＳに基づく）ＰＤＳＣＨスケジューリングに対応する（例えば、２ビット又は１ビット）Ａ／Ｎビットは（実際のスケジューリング有無に関係なく）いつもＡ／Ｎペイロードの特定位置（例えば、ＬＢＳ又はＭＳＢ）に割当／構成されることができる。また、ＣＳＳ  ｒｅｓｔｒｉｃｔｉｏｎを別に置かない場合、Ａ／Ｎペイロードの特定位置に（実際スケジューリング有無に関係なく）いつも割当／構成されるＡ／Ｎビット数は、バンドリングウィンドウ内のＤＬ（又はＳ）ＳＦ数Ｍと同一にＭビットに決定／設定されることができる。
【０１９０】
Ｂ．Ａｌｔ  １−２：ＤＡＩがどのセルに対するＤＧ  ＤＣＩによってもシグナリングされる場合
【０１９１】
ＳＰＳ及びＣＳＳに基づくスケジューリングにはｃｏｕｎｔ−ＤＡＩシグナリングとｔｏｔａｌ−ＤＡＩシグナリングのいずれも伴われず、ＰＣｅｌｌとＳＣｅｌｌのＵＳＳに基づくスケジューリングにのみｃｏｕｎｔ−ＤＡＩ及びｔｏｔａｌ−ＤＡＩシグナリングが伴われることができる。ＣＳＳに基づくＤＧ  ＤＣＩ内のｔ−ＤＡＩフィールドは固定値（例えば、０）に設定されることができる。ＵＳＳに基づくスケジューリングにおいてｃｏｕｎｔ−ＤＡＩはＳＰＳ又はＣＳＳに基づくスケジューリングを排除した順序値に決定／定義され、ｔｏｔａｌ−ＤＡＩはＣＳＳ又はＳＰＳに基づくスケジューリングを含む総和値に決定／定義することができる。ここで、ＳＰＳ／ＣＳＳに基づくスケジューリングに対応するＡ／Ｎビットは全体Ａ／ＮペイロードでＬＳＢに配置／マッピングされることができる。また、バンドリングウィンドウ内に行われることができる（最大）ＣＳＳに基づくスケジューリング数は特定値（例えば、１）以下に制限されることができる（ＣＳＳ  ｒｅｓｔｒｉｃｔｉｏｎ）。この場合、ＴＰＣコマンドはｃｏｕｎｔ−ＤＡＩ＝１のＰＣｅｌｌスケジューリングＤＧ  ＤＣＩ及びＣＳＳを介して送信されるＤＧ  ＤＣＩのＴＰＣフィールドを介して送信されることができる。残りのＤＧ  ＤＣＩ（すなわち、ｃｏｕｎｔ−ＤＡＩ＝１ではないＤＧ  ＤＣＩ又はＳＣｅｌｌスケジューリングＤＧ  ＤＣＩ）のＴＰＣフィールドを介してはＡＲＩが送信されることができる。よって、ｃｏｕｎｔ−ＤＡＩ＝１のＰＣｅｌｌスケジューリング及び／又はＳＰＳ／ＣＳＳに基づくスケジューリングのみを受信した場合、端末は該当スケジューリングに対応するＡ／ＮのみをＰＵＣＣＨフォーマット１ａ／１ｂ（ｗｉｔｈ  ｃｈａｎｎｅｌ  ｓｅｌｅｃｔｉｏｎ）を用いて送信することができる。
【０１９２】
Ｃ．Ａｌｔ  ２：ＤＡＩがＳＣｅｌｌに対するＤＧ  ＤＣＩによってのみシグナリングされる場合
【０１９３】
ＰＣｅｌｌスケジューリングにはｃｏｕｎｔ−ＤＡＩ／ｔｏｔａｌ−ＤＡＩに対するシグナリングなしに既存ｔ−ＤＡＩシグナリングが伴われることができ、ＳＣｅｌｌスケジューリングにのみｃｏｕｎｔ−ＤＡＩ及びｔｏｔａｌ−ＤＡＩシグナリングが伴われることができる。ここで、ｃｏｕｎｔ−ＤＡＩはＰＣｅｌｌスケジューリングを排除した順序値に決定／定義され、ｔｏｔａｌ−ＤＡＩはＰＣｅｌｌスケジューリングを排除した総和値に決定／定義されることができる。これとは別個に、Ａ／ＮペイロードにはいつもＰＣｅｌｌ全体に対応する（最大）Ａ／Ｎビット数が予約（ｒｅｓｅｒｖｅ）されることができる。ＰＣｅｌｌスケジューリングに対応するＡ／Ｎビットは全体Ａ／ＮペイロードにおいてＭＳＢ側又はＬＳＢ側に配置／マッピングされることができる。他の方法として、（ｃｏｕｎｔ−ＤＡＩはＰＣｅｌｌスケジューリングを排除した順序値に決定／定義され）ｔｏｔａｌ−ＤＡＩはＰＣｅｌｌスケジューリングを含む総和値に決定／定義されることができる。この場合、Ａ／Ｎペイロード構成のために、Ｏｐｔ  １）ｔ−ＤＡＩに対応するＡ／ＮをＭＳＢ側に（ｔ−ＤＡＩ値の順に）マッピングし、ｃｏｕｎｔ−ＤＡＩに対応するＡ／ＮをＬＳＢ側に（ｃｏｕｎｔ−ＤＡＩ値の逆順に）マッピングするか、反対にＯｐｔ  ２）ｃｏｕｎｔ−ＤＡＩに対応するＡ／ＮをＭＳＢ側に（ｃｏｕｎｔ−ＤＡＩ値の順に）マッピングし、ｔ−ＤＡＩに対応するＡ／ＮをＬＳＢ側に（ｔ−ＤＡＩ値の逆順に）マッピングする方式を考慮することができる。一例として、Ｏｐｔ  １の場合は｛ｔ−ＤＡＩ＝１、ｔ−ＤＡＩ＝２、ｔ−ＤＡＩ＝３、…、ｃｏｕｎｔ−ＤＡＩ＝３、ｃｏｕｎｔ−ＤＡＩ＝２、ｃｏｕｎｔ−ＤＡＩ＝１｝のような形態にＡ／Ｎペイロード上のＡ／Ｎマッピングが行われ、Ｏｐｔ  ２の場合は｛ｃｏｕｎｔ−ＤＡＩ＝１、ｃｏｕｎｔ−ＤＡＩ＝２、ｃｏｕｎｔ−ＤＡＩ＝３、…、ｔ−ＤＡＩ＝３、ｔ−ＤＡＩ＝２、ｔ−ＤＡＩ＝１｝のような形態にＡ／Ｎペイロード上のＡ／Ｎマッピングが行われることができる。
【０１９４】
この場合、ＴＰＣコマンドはｔ−ＤＡＩ＝１のＰＣｅｌｌスケジューリングＤＧ  ＤＣＩのＴＰＣフィールドを介して送信され、残りのＤＧ  ＤＣＩ（すなわち、ｔ−ＤＡＩ＝１ではないＤＧ  ＤＣＩ又はＳＣｅｌｌスケジューリングＤＧ  ＤＣＩ）のＴＰＣフィールドを介してはＡＲＩが送信されることができる。よって、ｔ−ＤＡＩ＝１のＰＣｅｌｌスケジューリング及び／又はＳＰＳに基づくスケジューリングのみを受信した場合、端末は該当スケジューリングに対応するＡ／ＮのみをＰＵＣＣＨフォーマット１ａ／１ｂ（ｗｉｔｈ  ｃｈａｎｎｅｌ  ｓｅｌｅｃｔｉｏｎ）を用いて送信することができる。ここで、ｔ−ＤＡＩ＞１に対応する（ＰＣｅｌｌスケジューリング）ＤＧ  ＤＣＩによってシグナリングされるＡＲＩが指示するＰＵＣＣＨフォーマット（又はリソース）Ａはｃｏｕｎｔ−ＤＡＩに対応する（ＳＣｅｌｌスケジューリング）ＤＧ  ＤＣＩによってシグナリングされるＡＲＩが指示するＰＵＣＣＨフォーマット（又はリソース）Ｂと同一であるか違うように設定されることができる。二つのＡＲＩが違うＰＵＣＣＨフォーマット（又はリソース）を指示するように設定された状態でｃｏｕｎｔ−ＤＡＩに対応するＤＧ  ＤＣＩを受信した場合にはＰＵＣＣＨフォーマット（又はリソース）Ｂを、ｔ−ＤＡＩに対応するＤＧ  ＤＣＩのみを受信した場合にはＰＵＣＣＨフォーマット（又はリソース）Ａを選択してＡ／Ｎ送信を行うことができる。
【０１９５】
さらに他の方法として、ＣＳＳを介して送信されるＤＧ  ＤＣＩの場合にはＤＣＩ内のＴＰＣフィールドを介してｔｏｔａｌ−ＤＡＩがシグナリングされるようにすることができる。この場合、ＣＳＳに基づくＤＧ  ＤＣＩによってＰＵＣＣＨ電力制御のためのＴＰＣコマンドがシグナリングされないこともあり得る。若しくは、ＦＤＤの場合にはｃｏｕｎｔ−ＤＡＩがＣＳＳに基づくＤＧ  ＤＣＩ内のＴＰＣフィールドを介してシグナリングされ、ＴＤＤの場合にはｔｏｔａｌ−ＤＡＩがＣＳＳに基づくＤＧ  ＤＣＩ内のＴＰＣフィールドを介してシグナリングされるようにすることができる（ＴＤＤの場合、全ての又は特定の（例えば、ｃｏｕｎｔ−ＤＡＩ＝１に対応する）ＣＳＳに基づくＤＧ  ＤＣＩにのみ当たり得る）。この場合にも該当ＣＳＳに基づくＤＧ  ＤＣＩによってはＰＵＣＣＨのためのＴＰＣコマンドがシグナリングされないこともあり得る。
【０１９６】
さらに他の方法として、ＦＤＤ及びＴＤＤ状況でｃｏｕｎｔ−ＤＡＩ及びｔｏｔａｌ−ＤＡＩは対応するＤＧ  ＤＣＩ送信を伴うＰＤＳＣＨ又は特定の（例えば、ＤＬ  ＳＰＳ解除を指示する）目的で送信されるＰＤＣＣＨのスケジューリング順序値及び総数をシグナリングするように定義／設定された状況で、端末はｔｏｔａｌ−ＤＡＩに対応するＡ／Ｎビット（例えば、Ｎビット）で全体Ａ／Ｎペイロード（例えば、Ｎビット）を構成することができる。複数のＤＧ  ＤＣＩがある場合、同じＳＦ内のＤＧ  ＤＣＩは同一値のｔｏｔａｌ−ＤＡＩを有する。一方、ＳＰＳに基づくＰＤＳＣＨ送信がある場合、端末はｔｏｔａｌ−ＤＡＩに対応するＡ／Ｎビット（例えば、Ｎビット）にＳＰＳに基づくＰＤＳＣＨに対するＡ／Ｎビット（例えば、１ビット）を付け加える方式で全体Ａ／Ｎペイロード（例えば、Ｎ＋１ビット）を構成することができる。全体Ａ／ＮペイロードはＰＵＣＣＨ又はＰＵＳＣＨを介して送信されることができる。ＳＰＳに基づくＰＤＳＣＨに対応するＡ／Ｎビットは全体Ａ／Ｎペイロード上でＭＳＢ又はＬＳＢに配置／マッピングされることができる。
【０１９７】
一方、ＴＤＤ状況でｃｏｕｎｔｅｒ−ＤＡＩはＣＣ（すなわち、セル）ドメインとＳＦドメインを結合し、ＣＣ及びＳＦドメイン（すなわち、ＣＣ／ＳＦドメイン又はセル／ＳＦドメイン）でＣＣ  ｆｉｒｓｔ方式で（スケジューリング）カウンター値を指示するシグナリングに代替／適用可能である。例えば、ｃｏｕｎｔｅｒ−ＤＡＩは（ＤＧ  ＤＣＩによって）スケジュールされるセルが全体セルのうち何番目でスケジュールされたものであるか、すなわちスケジューリング順序値をセル／ＳＦ（セルとＳＦの対）単位で示すことができる。ＣＣ  ｆｉｒｓｔ方式において、セル／ＳＦ単位のスケジューリング順序はバンドリングウィンドウ内でＣＣ（すなわち、セル）インデックスが増加した後、ＳＦインデックスが増加する順に決まる。また、ｔｏｔａｌ−ＤＡＩもこのようなｃｏｕｎｔｅｒ−ＤＡＩシグナリングに基づくスケジューリング総和値を指示するシグナリングに代替／考慮されることができる。具体的に、ｔｏｔａｌ−ＤＡＩはＤＬ  ＳＦによって累積したスケジューリング総和値（例えば、ＤＧ  ＤＣＩによってスケジュールされるセルの総和）を指示するように定義／シグナリングされることができる。例えば、ＤＬ  ＳＦ＃１、２、３に対するＡ／Ｎが一つのＵＬ  ＳＦを介して送信される状況で、ＤＬ  ＳＦ＃１、２、３を介してそれぞれ３個、２個、４個のセルがスケジュールされた場合を仮定すれば、ｔｏｔａｌ−ＤＡＩは、ＳＦ別に、ＤＬ  ＳＦ＃１の場合はｔｏｔａｌ−ＤＡＩ＝３を、ＤＬ  ＳＦ＃２の場合はｔｏｔａｌ−ＤＡＩ＝５を、ＤＬ  ＳＦ＃３の場合はｔｏｔａｌ−ＤＡＩ＝９をそれぞれ指示するように定義／シグナリングされることができる。
【０１９８】
図１９は本例によるｃｏｕｎｔ−／ｔｏｔａｌ−ＤＡＩ割当方法を例示する。セル１、２、３、４の４個のセルが端末にＣＡされたと仮定し、バンドリングウィンドウはＳＦ＃１〜＃３で構成されたと仮定する。図１９を参照すると、（Ｃｅｌｌ  １、ＳＦ＃１）、（Ｃｅｌｌ  ２、ＳＦ＃１）、（Ｃｅｌｌ  ４、ＳＦ＃２）、（Ｃｅｌｌ  １、ＳＦ＃３）、（Ｃｅｌｌ  ３、ＳＦ＃３）のセル／ＳＦリソースがスケジューリングされ、その以外のセル／ＳＦリソースはスケジューリングされなかった。ここで、スケジューリングは該当セル／ＳＦリソースでＨＡＲＱ−ＡＣＫフィードバックが要求されるＤＬ送信が行われることを意味し、ＨＡＲＱ−ＡＣＫフィードバックが要求されるＤＬ送信はＰＤＳＣＨ及びＳＰＳ解除ＰＤＣＣＨを含む。例えば、（Ｃｅｌｌ  ２、ＳＦ＃１）でＰＤＳＣＨ送信があり得る。この場合、ＰＤＳＣＨをスケジュールするＰＤＣＣＨはスケジューリング方式によって（Ｃｅｌｌ  ２、ＳＦ＃１）で送信されるか（セルフ−スケジューリング）、（Ｃｅｌｌ  Ｘ、ＳＦ＃１）で送信されることができる（クロス−キャリアスケジューリング）。Ｃｅｌｌ  Ｘはセル１のスケジューリングセルを意味する。ＳＰＳ  ＰＤＳＣＨはｃｏｕｎｔ−ＤＡＩ／ｔｏｔａｌ−ＤＡＩが伴われなく、図面はＰＤＣＣＨ（ＤＧ  ＤＣＩ）によってスケジュールされたＰＤＳＣＨ（及びＳＰＳ解除ＰＤＣＣＨ）がスケジュールされた場合のみを例示する。本例において、ｃｏｕｎｔ−ＤＡＩはセルｆｉｒｓｔ方式で（スケジューリング）カウンター値を指示するので、（Ｃｅｌｌ  １、ＳＦ＃１）＝＞（Ｃｅｌｌ  ２、ＳＦ＃１）＝＞（Ｃｅｌｌ  ４、ＳＦ＃２）＝＞（Ｃｅｌｌ  １、ＳＦ＃３）＝＞（Ｃｅｌｌ  ３、ＳＦ＃３）の順に１〜５を示す。また、ｔｏｔａｌ−ＤＡＩはＤＬ  ＳＦによって累積したスケジューリング総和値を指示するので、ｔｏｔａｌ−ＤＡＩはＳＦ＃１の場合はｔｏｔａｌ−ＤＡＩ＝２を、ＳＦ＃２の場合はｔｏｔａｌ−ＤＡＩ＝３を、ＤＬ  ＳＦ＃３の場合はｔｏｔａｌ−ＤＡＩ＝５をそれぞれ指示する。同じＳＦ内でｔｏｔａｌ−ＤＡＩは同じ値を有する。ｃｏｕｎｔ−／ｔｏｔａｌ−ＤＡＩはＨＡＲＱ−ＡＣＫ送信過程（ＨＡＲＱ−ＡＣＫペイロード構成、ＨＡＲＱ−ＡＣＫビット位置決定、ＤＴＸ検出など）に使われる。
【０１９９】
一方、前記提案方法ではない他の方式でｔｏｔａｌ−ＤＡＩ値をシグナリングする方法を考慮する場合は問題が発生し得る。
【０２００】
一例として、ｔｏｔａｌ−ＤＡＩが各ＤＬ  ＳＦ内でのスケジューリング総和値のみを個別的に指示するように定義されれば（前記例において、ＳＦ＃１の場合はｔｏｔａｌ−ＤＡＩ＝２、ＳＦ＃２の場合はｔｏｔａｌ−ＤＡＩ＝１、ＤＬ  ＳＦ＃３の場合はｔｏｔａｌ−ＤＡＩ＝２）、特定のＤＬ  ＳＦでの全てのＤＧ  ＤＣＩをミッシングした場合、基地局／端末間のＡ／Ｎペイロード一致に問題が生じ得る。
【０２０１】
他の例として、ｔｏｔａｌ−ＤＡＩが全てのＤＬ  ＳＦ内での全体スケジューリング総和値を指示するように定義されれば（前記例において、ＳＦ＃１の場合はｔｏｔａｌ−ＤＡＩ＝５、ＳＦ＃２の場合はｔｏｔａｌ−ＤＡＩ＝５、ＤＬ  ＳＦ＃３の場合はｔｏｔａｌ−ＤＡＩ＝５）、未来時点でのスケジューリングを前もって予測していなければならない基地局スケジューラの負担が加重することができる。
【０２０２】
一方、前記で、ｔｏｔａｌ−ＤＡＩができるだけ全てのスケジューリング総和（すなわち、ｔｏｔａｌ）値の一部代表値のみを指示するように設定することも可能である。このような方式は、ｔｏｔａｌ−ＤＡＩが制限されたビット数（例えば、２ビット）のみで構成された（例えば、ｍｏｄｕｌｏ演算などによって複数の相異なるトータル値が同一であるｔｏｔａｌ−ＤＡＩビット組合せに対応する）状況で端末が複数（例えば、４個）ＤＧ  ＤＣＩ検出を連続的に失敗して特定のＤＧ  ＤＣＩ内のトータル値を同一のｔｏｔａｌ−ＤＡＩビット組合せに対応する他のトータル値と誤認する場合（例えば、ｔｏｔａｌ−ＤＡＩ  ２ビット＝００、０１、１０、１１がそれぞれｔｏｔａｌ＝１／５、２／６、３／７、０／４／８に対応するとき、ｔｏｔａｌ＝７を同一ビット１０に対応するｔｏｔａｌ＝３と誤認する場合）などに有用であり得る。一例として、ｔｏｔａｌ−ＤＡＩ  ２ビット＝００、０１、１０、１１がそれぞれｔｏｔａｌ＝２／１０、４／１２、６／１４、０／８／１６に対応するように設定した状態で（すなわち、ｍｏｄｕｌｏ−８を適用し、２の倍数にのみ対応）、基地局は実際に自分がスケジュールした総和値以上の値のうち最小トータル値に対応するｔｏｔａｌ−ＤＡＩを指示することができ、端末はこのような動作を仮定することができる。他の方法として、全体セル数をＮであると仮定する場合（別途のｍｏｄｕｌｏ演算なしに）ｔｏｔａｌ−ＤＡＩ  ２ビット＝００、０１、１０、１１がそれぞれｔｏｔａｌ＝Ｎ１、Ｎ２、Ｎ３、Ｎ（Ｎ１＞Ｎ２＞Ｎ３＞Ｎ）に対応するように設定することも可能である（以下、ｑｕａｎｔｉｚｅｄ  ｔｏｔａｌ−ＤＡＩ）。ｑｕａｎｔｉｚｅｄ  ｔｏｔａｌ−ＤＡＩはＵＣｅｌｌが含まれたＣＡ又は特定数以上のＵＣｅｌｌが含まれたＣＡ状況に適用可能である。他の方法として、（特定数以上の）ＵＣｅｌｌが含まれたＣＡ状況では（ｑｕａｎｔｉｚｅｄ  ｔｏｔａｌ−ＤＡＩ適用なしに）そうではないＣＡ状況よりｔｏｔａｌ−ＤＡＩ構成ビット数を増加させることも可能である。
【０２０３】
一方、ＵＧ  ＤＣＩによってシグナリングされるｃ−ＤＡＩ（すなわち、ＵＬ  ｃ−ＤＡＩ）は、１）ＤＬ  ｃ−ＤＡＩがｃｏｕｎｔ−ＤＡＩの場合は既存と同様にＤＬ  ｃｏｕｎｔ−ＤＡＩの最大値又はｔｏｔａｌ−ＤＡＩ（最大）値を示すか（あるいは、端末は受信されたＵＬ  ｃ−ＤＡＩ値をＤＬ  ｃｏｕｎｔ−ＤＡＩの最大値又はｔｏｔａｌ−ＤＡＩ（最大）値と見なす）（以下、ＵＬ  ｃｏｕｎｔ−ＤＡＩ）、２）ＤＬ  ｃ−ＤＡＩがｐｏｉｎｔ−ＤＡＩの場合（あるいは、ＤＬ  ｃ−ＤＡＩに対するシグナリングがない場合）、最終的にスケジュールされたＣＧインデックス又は（最後に）シグナリングされたＤＬ  ｐｏｉｎｔ−ＤＡＩ値を示すことができる（あるいは、端末は受信されたＵＬ  ｃ−ＤＡＩ値をスケジュールされたＣＧインデックス又はこれに対応するＤＬ  ｐｏｉｎｔ−ＤＡＩ値と見なす）（以下、ＵＬ  ｐｏｉｎｔ−ＤＡＩ）。
【０２０４】
また、（ｃｏｕｎｔ−ＤＡＩの場合）ＵＬ  ｃ−ＤＡＩは全体ＤＬ  ｃ−ＤＡＩ値のうち特定の一部のみを指示するように設定されることができ、特定の一部ＤＬ  ｃ−ＤＡＩ値には少なくともＤＬ  ｃ−ＤＡＩの最大値が含まれることができる。一例として、ＤＬ  ｃ−ＤＡＩは１からＮ（＞４）までのＮ個の値を有することができ、ＵＬ  ｃ−ＤＡＩは４個の値に設定されると仮定する場合、ＤＬ  ｃ−ＤＡＩ＝１、２、４、Ｎの４個の値のうち一つがＵＬ  ｃ−ＤＡＩを介してシグナリングされることができる。
【０２０５】
一方、本発明において、ＤＧ  ＤＣＩによってシグナリングされるｔｏｔａｌ−ＤＡＩ及び／又はＵＧ  ＤＣＩによってシグナリングされるＵＬ  ｃｏｕｎｔ−ＤＡＩの場合、基地局はＤＧ  ＤＣＩ及び／又はＵＧ  ＤＣＩによって（別に定義されなかった）特定の値（以下、Ｎｔｏｔ）をシグナリングすることができる。この場合、端末はＮｔｏｔ値を、ＣＡを構成する全てのセル（又はＳＦ）内の（基地局からの）スケジューリング数の総和又は最後のスケジューリングカウンター値と認識し、これに相応するＡ／Ｎペイロードを構成／送信することができる。一例として、２ビットＮｔｏｔを考慮すれば、状態００はｋ×（４ｎ＋１）を、状態０１はｋ×（４ｎ＋２）を、状態１０はｋ×（４ｎ＋３）を、状態１１はｋ×（４ｎ＋４）をそれぞれ指示し得る。ｎ＝０、１、…において、ｋ≧１であり得る。よって、端末はＮｔｏｔが指示する値（以下、ｔｏｔａｌ  ｖａｌｕｅ）のうち自分が最後に受信したカウンター（最大）値以上の最小トータル値を、ＣＡを構成する全てのセル（又はＳＦ）内の（基地局からの）スケジューリング数の総和と見なし、これに相応するＡ／Ｎペイロードを構成／送信することができる。ｋ値は基地局によって設定されることができる。
【０２０６】
一方、ＦＤＤの場合、ＣＳＳを介して送信されるＵＧ  ＤＣＩにはＵＬ  ｃｏｕｎｔ−ＤＡＩがシグナリングされず、ＵＳＳを介して送信されるＵＧ  ＤＣＩにのみＵＬ  ｃｏｕｎｔｅｒ−ＤＡＩがシグナリングされることができる。ＴＤＤの場合には、ＣＳＳとＵＳＳを介して送信されるＵＧ  ＤＣＩの全てにＵＬ  ｃｏｕｎｔｅｒ−ＤＡＩがシグナリングされ、ＵＬ  ｃｏｕｎｔｅｒ−ＤＡＩは既存ｔ−ＤＡＩフィールドを介してシグナリングされることができる。
【０２０７】
一方、ＵＬ  ｃ−ＤＡＩを含むＵＧ  ＤＣＩからスケジューリングされなかったＰＵＳＣＨ（例えば、ＳＰＳ（又はＣＳＳ）に基づいてスケジュールされたＰＵＳＣＨ又は対応するＤＣＩなしに再送信されるＰＵＳＣＨ）の場合、端末はＤＧ  ＤＣＩから受信されたｔｏｔａｌ−ＤＡＩ（最大）値又は（最後）ｐｏｉｎｔ−ＤＡＩ値をＵＬ  ｃ−ＤＡＩと仮定／見なした状態で、これに対応するＡ／Ｎペイロードを構成及び送信することができる。一方、ＣＧ別にｃｏｕｎｔｅｒ−ＤＡＩを独立的に適用する場合、一つのＵＧ  ＤＣＩによって複数ＣＧに対するＵＬ  ｃ−ＤＡＩ値がシグナリングされることができ、（ＤＣＩオーバーヘッドを減らすために）ＣＧ別ＵＬ  ｃ−ＤＡＩは各ＣＧに対するＤＬスケジューリング有無（又は各ＣＧに対応するＡ／Ｎフィードバック有無）のみをシグナリングすることができる。ここで、ＣＧは特定の基準によって構成されることができる。例えば、最大送信可能ＴＢ数が同一であるセル（等）又はキャリアタイプ（例えば、ＬＣｅｌｌ又はＵＣｅｌｌ）が同一であるセル（等）がＣＧに束ねられることができる。また、ＤＧ  ＤＣＩによってｔｏｔａｌ−ＤＡＩ又はｐｏｉｎｔ−ＤＡＩがシグナリングされる場合、ＵＧ  ＤＣＩには別途のＵＬ  ｃ−ＤＡＩシグナリング（及びこのためフィールド構成）が省略されることができる。この場合、端末は全てのＰＵＳＣＨに対してＤＧ  ＤＣＩから受信されたｔｏｔａｌ−ＤＡＩ（最大）値又は（最後）ｐｏｉｎｔ−ＤＡＩ値をＵＬ  ｃ−ＤＡＩと仮定／見なした状態で、これに対応するＡ／Ｎペイロードを構成／送信することができる。
【０２０８】
一方、前記提案方法を適用すれば、既存にＡ／Ｎペイロードサイズを減らすことができなかったＰＵＳＣＨ（例えば、ＵＬ  ｃ−ＤＡＩを含むＵＧ  ＤＣＩからスケジューリングされないＰＵＳＣＨ（例えば、ＳＰＳ（又はＣＳＳ）に基づいてスケジュールされたＰＵＳＣＨ又は対応するＤＣＩなしに再送信されるＰＵＳＣＨ又はＦＤＤ状況での任意のＰＵＳＣＨ）上でも、ＤＧ  ＤＣＩから受信されたｔｏｔａｌ−ＤＡＩ値に基づいて該当ＰＵＳＣＨ上のＡ／Ｎペイロードを効果的に減らすことができる。また、これにより、ＰＵＳＣＨ上のＵＬ−ＳＣＨ及び／又はＵＣＩ送信性能を改善させることができる。
【０２０９】
一方、ＤＬ送信モード（ＴＭ）がセル別に独立的に設定されることによって最大送信可能ＴＢ数Ｎｔがセル別に違うように設定されることができる（例えば、Ｎｔ＝２のセルとＮｔ＝１のセルが混在）。この状況で、ｃｏｕｎｔ−ＤＡＩがセル／ＳＦ単位のスケジューリング順序（カウンター）値をシグナリングする場合、端末がｃｏｕｎｔ−ＤＡＩを有するＤＧ  ＤＣＩ検出に失敗すれば該当ｃｏｕｎｔ−ＤＡＩに対応するセルと該当セルに設定されたＴＭ（すなわち、Ｎｔ値）が正確に分かることができないので、該当ｃｏｕｎｔｅｒ−ＤＡＩに対応するＡ／Ｎビット数を決定するのに基地局との不一致が発生し得る。このような問題に鑑み、Ｎｔがセル別に違うように設定された場合（例えば、Ｎｔ＝２に設定されたセルが存在）、ｃｏｕｎｔ−ＤＡＩはセル／ＳＦ単位のスケジューリング順序（カウンター）値でシグナリングし、各セル／ＳＦに対応するＡ／Ｎビット数は該当セルのＴＭにかかわらず、いつも最大Ｎｔ値、すなわちｍａｘ−Ｎｔ（例えば、ｍａｘ−Ｎｔ＝２）と同様に割り当てる方法を考慮することができる。
【０２１０】
前記のような状況で、ｔｏｔ−Ｎｓに対応する全体Ａ／Ｎビット数（ｔｏｔ−Ｎｓ）×（ｍａｘ−Ｎｔ）が、元に設定されたセル別ＴＭ、すなわちＮｔに合わせてＡ／Ｎビット数を割り当てた時の最大Ａ／Ｎビット数ｍａｘ−Ｎａを超える場合が生じ得る。ここで、ｔｏｔ−Ｎｓは最後のｃｏｕｎｔｅｒ−ＤＡＩに対応するスケジューリングカウンター値又はｔｏｔａｌ−ＤＡＩ（及び／又はＵＧ  ＤＣＩによってシグナリングされるＵＬ  ｃｏｕｎｔ−ＤＡＩ）などから類推される全体スケジュールされたセル／ＳＦ数を示す。また、ｍａｘ−Ｎａは各セル別に該当セルに設定されたＮｔを基準に該当セルのバンドリングウィンドウ内の総ＳＦ数だけＡ／Ｎビットを割り当てた場合に全てのセルに割り当てられたＡ／Ｎビット数の総和を示す。（ｔｏｔ−Ｎｓ）×（ｍａｘ−Ｎｔ）＞ｍａｘ−Ｎａ又は（ｔｏｔ−Ｎｓ）×（ｍａｘ−Ｎｔ）≧ｍａｘ−Ｎａの場合、端末はｍａｘ−Ｎａに相当するＡ／ＮビットのみをＡ／Ｎペイロードに構成し、Ａ／Ｎペイロード上のＡ／Ｎビットはｃｏｕｎｔｅｒ−ＤＡＩ順序ではないセル／ＳＦインデックス順にマッピングされることができる。反対に、（ｔｏｔ−Ｎｓ）×（ｍａｘ−Ｎｔ）≦ｍａｘ−Ｎａ又は（ｔｏｔ−Ｎｓ）ｘ（ｍａｘ−Ｎｔ）＜ｍａｘ−Ｎａの場合、端末は（ｔｏｔ−Ｎｓ）×（ｍａｘ−Ｎｔ）に相当するＡ／ＮビットのみをＡ／Ｎペイロードで構成し、Ａ／Ｎペイロード上のＡ／Ｎビットはｃｏｕｎｔｅｒ−ＤＡＩ順にマッピングされることができる。
【０２１１】
（２）ＤＬ／ＵＬ  ｃ−ＤＡＩに基づくＡ／Ｎペイロードの構成方法
【０２１２】
ＤＬ／ＵＬ  ｃ−ＤＡＩシグナリング方式が適用される場合（特に、ＴＤＤ状況で）ＰＵＣＣＨ／ＰＵＳＣＨ上のＡ／Ｎペイロードを構成する方法に対して考慮する。ＴＤＤの場合には、１）ｔ−ＤＡＩとｃ−ＤＡＩが同時にシグナリングされるか（以下、ｃａｓｅ  ｗｉｔｈ  ｔ−ＤＡＩ）、２）ｔ−ＤＡＩなしにｃ−ＤＡＩのみシグナリングされることができる（以下、ｃａｓｅ  ｗ／ｏ  ｔ−ＤＡＩ）。後者の場合には、既存ＤＣＩフォーマット内のＤＡＩフィールドを介して（ｔ−ＤＡＩではない）ｃ−ＤＡＩがシグナリングされることができる。以下、ｔ−ＤＡＩシグナリング有無、ＤＬ  ｃ−ＤＡＩシグナリング方式、ＵＬ  ｃ−ＤＡＩ有無によるＰＵＣＣＨ／ＰＵＳＣＨ上のＡ／Ｎペイロード構成方法を提示する。一方、ＰＵＣＣＨを介したＡ／Ｎ送信は下記においてＵＬ  ｃ−ＤＡＩがない場合に含まれることができる。
【０２１３】
（ａ）ＤＬ  ｃｏｕｎｔ−ＤＡＩとＵＬ  ｃｏｕｎｔ−ＤＡＩが共にある場合
【０２１４】
１）ｃａｓｅ  ｗｉｔｈ  ｔ−ＤＡＩ（すなわち、ＤＬ／ＵＬ  ｔ−ＤＡＩが全てある場合）
【０２１５】
Ａ／Ｎペイロード構成のために、（ＤＬ  ｃ−ＤＡＩ及びＤＬ  ｔ−ＤＡＩの初期値を１と仮定する場合）セル軸には１からＵＬ  ｃ−ＤＡＩまでのＤＬ  ｃ−ＤＡＩ値に対応するＡ／ＮがＤＬ  ｃ−ＤＡＩ値の順に配置され、ＳＦ軸には（セル別Ｍ値にかかわらず、全てのＤＬ  ｃ−ＤＡＩ値に対して）１からＵＬ  ｔ−ＤＡＩまでのＤＬ  ｔ−ＤＡＩ値に対応するＡ／ＮがＤＬ  ｔ−ＤＡＩ値の順に（セル別に）配置されることができる。その理由は、端末が特定のＤＬ  ｃ−ＤＡＩ（これを含むＤＧ  ＤＣＩ）をミッシングした場合、該当ＤＬ  ｃ−ＤＡＩに対応するセルに設定されたＭ値に対して基地局との不一致が生じ得るからである。一方、検出／受信されなかったＤＬ  ｃ−ＤＡＩ及びＤＬ  ｔ−ＤＡＩに対してはＮＡＣＫ又はＤＴＸとして処理されることができる。
【０２１６】
２）ｃａｓｅ  ｗ／ｏ  ｔ−ＤＡＩ（すなわち、ＤＬ／ＵＬ  ｔ−ＤＡＩが全てない場合）
【０２１７】
Ａ／Ｎペイロード構成のために、セル軸には１からＵＬ  ｃ−ＤＡＩまでのＤＬ  ｃ−ＤＡＩ値に対応するＡ／ＮがＤＬ  ｃ−ＤＡＩ値の順に配置され、ＳＦ軸には（セル別Ｍ値にかかわらず、全てのＤＬ  ｃ−ＤＡＩ値に対して）１番目からｍａｘ−Ｍ番目までのＤＬ  ＳＦに対応するＡ／ＮがＤＬ  ＳＦの順に（セル別に）配置されることができる。ｍａｘ−Ｍは全てのセルに設定されたＭ値のうち最大値になることができる。その理由もやはり、端末が特定のＤＬ  ｃ−ＤＡＩ（これを含むＤＧ  ＤＣＩ）をミッシングした場合、該当ＤＬ  ｃ−ＤＡＩに対応するＭ値に対して基地局との不一致が生じ得るからである。一方、検出／受信されなかったＤＬ  ｃ−ＤＡＩ及びＤＬ  ＳＦに対してはＮＡＣＫ又はＤＴＸとして処理されることができる。
【０２１８】
（ｂ）ＤＬ  ｃｏｕｎｔ−ＤＡＩはあり、ＵＬ  ｃｏｕｎｔ−ＤＡＩはない場合
【０２１９】
１）ｃａｓｅ  ｗｉｔｈ  ｔ−ＤＡＩ（すなわち、ＤＬ  ｔ−ＤＡＩはあり、ＵＬ  ｔ−ＤＡＩはない場合）
【０２２０】
Ａ／Ｎペイロード構成のために、セル軸には１から受信されたＤＬ  ｃ−ＤＡＩのうち最大値又はそれ以上の値を有する（前もって設定された）特定のＤＬ  ｃ−ＤＡＩ又はＤＬ  ｃ−ＤＡＩが有し得る最大値までに対応するＡ／ＮがＤＬ  ｃ−ＤＡＩ値の順に配置され、ＳＦ軸には（セル別Ｍ値にかかわらず、全てのＤＬ  ｃ−ＤＡＩ値対して）１からｍａｘ−ＭまでのＤＬ  ｔ−ＤＡＩ値に対応するＡ／ＮがＤＬ  ｔ−ＤＡＩ値の順に（セル別に）配置されることができる。一方、検出／受信されなかったＤＬ  ｃ−ＤＡＩ及びＤＬ  ｔ−ＤＡＩに対してはＮＡＣＫ又はＤＴＸとして処理されることができる。
【０２２１】
２）ｃａｓｅ  ｗ／ｏ  ｔ−ＤＡＩ（すなわち、ＤＬ／ＵＬ  ｔ−ＤＡＩが全てない場合）
【０２２２】
Ａ／Ｎペイロード構成のために、セル軸には１から受信されたＤＬ  ｃ−ＤＡＩのうち最大値又はそれ以上の値を有する（前もって設定された）特定のＤＬ  ｃ−ＤＡＩ又はＤＬ  ｃ−ＤＡＩが有し得る最大値までに対応するＡ／ＮがＤＬ  ｃ−ＤＡＩ値の順に配置され、ＳＦ軸には（各セル別に）（セル別Ｍ値にかかわらず、全てのＤＬ  ｃ−ＤＡＩ値に対して）１番目からｍａｘ−Ｍ番目までのＤＬ  ＳＦに対応するＡ／ＮがＤＬ  ＳＦの順に（セル別に）配置されることができる。一方、検出／受信されなかったＤＬ  ｃ−ＤＡＩ及びＤＬ  ＳＦに対してはＮＡＣＫ又はＤＴＸとして処理されることができる。
【０２２３】
（ｃ）ＤＬ  ｐｏｉｎｔ−ＤＡＩ有無にかかわらず、ＵＬ  ｐｏｉｎｔ−ＤＡＩがある場合
【０２２４】
１）ｃａｓｅ  ｗｉｔｈ  ｔ−ＤＡＩ（すなわち、ＤＬ／ＵＬ  ｔ−ＤＡＩが全て場合）
【０２２５】
Ａ／Ｎペイロード構成のために、セル軸にはＵＬ  ｃ−ＤＡＩから指示されたＣＧに対応するＡ／Ｎがセルインデックスの順に配置され、ＳＦ軸には（各セル別に）１からｍｉｎ（ＵＬ  ｔ−ＤＡＩ、Ｍ）までのＤＬ  ｔ−ＤＡＩ値に対応するＡ／ＮがＤＬ  ｔ−ＤＡＩ値の順に配置されることができる。一方、検出／受信されなかったセル及びＤＬ  ｔ−ＤＡＩに対してはＮＡＣＫ又はＤＴＸとして処理されることができる。
【０２２６】
２）ｃａｓｅ  ｗ／ｏ  ｔ−ＤＡＩ（すなわち、ＤＬ／ＵＬ  ｔ−ＤＡＩが全てない場合）
【０２２７】
Ａ／Ｎペイロード構成のために、セル軸にはＵＬ  ｃ−ＤＡＩから指示されたＣＧに対応するＡ／Ｎがセルインデックスの順に配置され、ＳＦ軸には（各セル別に）１番目からＭ番目までのＤＬ  ＳＦに対応するＡ／ＮがＤＬ  ＳＦの順に配置されることができる。一方、検出／受信されなかったセル及びＤＬ  ＳＦに対してはＮＡＣＫ又はＤＴＸとして処理されることができる。
【０２２８】
（ｄ）ＤＬ  ｐｏｉｎｔ−ＤＡＩはあり、ＵＬ  ｐｏｉｎｔ−ＤＡＩはない場合
【０２２９】
１）ｃａｓｅ  ｗｉｔｈ  ｔ−ＤＡＩ（すなわち、ＤＬ  ｔ−ＤＡＩはあり、ＵＬ  ｔ−ＤＡＩはない場合）
【０２３０】
Ａ／Ｎペイロード構成のために、セル軸にはＤＬ  ｃ−ＤＡＩから指示されたＣＧのうち最も多いセルが属するＣＧ又は全てのセルに対応するＡ／Ｎがセルインデックスの順に配置され、ＳＦ軸には（各セル別に）１からＭまでのＤＬ  ｔ−ＤＡＩの値に対応するＡ／ＮがＤＬ  ｔ−ＤＡＩ値の順に配置されることができる。一方、検出／受信されなかったセル及びＤＬ  ｔ−ＤＡＩに対してはＮＡＣＫ又はＤＴＸとして処理されることができる。
【０２３１】
２）ｃａｓｅ  ｗ／ｏ  ｔ−ＤＡＩ（すなわち、ＤＬ／ＵＬ  ｔ−ＤＡＩが全てない場合）
【０２３２】
Ａ／Ｎペイロード構成のために、セル軸にはＤＬ  ｃ−ＤＡＩから指示されたＣＧのうち最も多いセルが属するＣＧ又は全てのセルに対応するＡ／Ｎがセルインデックスの順に配置され、ＳＦ軸には（各セル別に）１番目からＭ番目までのＤＬ  ＳＦに対応するＡ／ＮがＤＬ  ＳＦの順に配置されることができる。一方、検出／受信されなかったセル及びＤＬ  ＳＦに対してはＮＡＣＫ又はＤＴＸとして処理されることができる。
【０２３３】
一方、ＥＰＤＣＣＨに基づくスケジューリングが設定されたセルに対応するＤＧ  ＤＣＩにはＥＰＤＣＣＨ送信リソースにリンクされた黙示的ＰＵＣＣＨ（フォーマット１ａ／１ａ）リソースインデックス（式１参照）に対するオフセットを指示する用途のＡＲＯ（ＡＣＫ／ＮＡＣＫ  Ｒｅｓｏｕｒｃｅ  Ｏｆｆｓｅｔ）フィールドが付け加わることができる。しかし、ＰＦ３／ＰＦ４のようにＲＲＣに設定される明示的（ｅｘｐｌｉｃｉｔ）ＰＵＣＣＨリソースに基づいてＡ／Ｎを送信する方式ではＰＣｅｌｌを除いた残りのＳＣｅｌｌに対応するＤＧ  ＤＣＩ内のＡＲＯは実際には何らの用途にも使われないことがあり得る。よって、ＥＰＤＣＣＨに基づくスケジューリングが設定されたＳＣｅｌｌに対応するＤＧ  ＤＣＩ内のＡＲＯフィールドを介して、ｃｏｕｎｔｅｒ−ＤＡＩ又はｐｏｉｎｔ−ＤＡＩ又はｔｏｔａｌ−ＤＡＩ（又はこれに相応する総スケジューリング数又は最後のスケジューリングを知らせる情報）をシグナリングする方案を考慮することができる。
【０２３４】
一方、本発明において、ｃｏｕｎｔｅｒ−ＤＡＩ及び／又はｔｏｔａｌ−ＤＡＩは、何番目でスケジュールされたセルであるかあるいはスケジュールされたセルが全部いくつであるかを指示するセルレベルのＤＡＩではない、何番目でスケジュールされたＴＢであるか、スケジュールされたＴＢが全部いくつであるかを指示するＴＢレベルのｃｏｕｎｔｅｒ−ＤＡＩ及び／又はｔｏｔａｌ−ＤＡＩとして使われることもできる。また、ＣＧ別にｃｏｕｎｔｅｒ−ＤＡＩを独立的に適用する状況でも、本発明のｃｏｕｎｔｅｒ−ＤＡＩ（及び／又はｔｏｔａｌ−ＤＡＩ）関連提案が拡張して適用可能である。ここで、ＣＧは特定の基準に構成されることができる。例えば、最大送信可能ＴＢ数が同一であるセル（等）又はキャリアタイプ（例えば、ＬＣｅｌｌ又はＵＣｅｌｌ）が同一であるセル（等）がＣＧに束ねられることができる。
【０２３５】
図２０は本発明に適用可能な基地局、リレー及び端末を例示する。
【０２３６】
図２０を参照すると、無線通信システムは、基地局（ＢＳ）１１０及び端末（ＵＥ）１２０を含む。無線通信システムがリレーを含む場合、基地局又は端末はリレーに取り替えられることができる。
【０２３７】
基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は、本発明で提案した過程及び／又は方法を具現するように構成することができる。メモリ１１４は、プロセッサ１１２に接続され、プロセッサ１１２の動作に関連する様々な情報を格納する。ＲＦユニット１１６は、プロセッサ１１２に接続され、無線信号を送信及び／又は受信する。端末１２０は、プロセッサ１２２、メモリ１２４及びＲＦユニット１２６を含む。プロセッサ１２２は、本発明で提案した過程及び／又は方法を具現するように構成することができる。メモリ１２４は、プロセッサ１２２に接続され、プロセッサ１２２の動作に関連する様々な情報を格納する。ＲＦユニット１２６は、プロセッサ１２２に接続され、無線信号を送信及び／又は受信する。
【０２３８】
以上で説明した各実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明される動作の順序は変更可能である。ある実施例の一部構成や特徴は、他の実施例に含まれることができ、又は、他の実施例に対応する構成又は特徴に取って代わることもできる。特許請求の範囲において明示的な引用関係のない請求項を結合して実施例を構成したり、出願後の補正により新しい請求項として含めることができるということは自明である。
【０２３９】
本文書で、本発明の各実施例は主に端末と基地局間のデータ送受信関係を中心に説明した。本文書で基地局によって行われると説明された特定動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅｓ）からなるネットワークで端末との通信のために行う多様な動作は、基地局又は基地局以外の他のネットワークノードによって行えることは自明である。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。  
【０２４０】
本発明に係る実施例は、様々な手段、例えば、ハードウェア、ファームウエア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２４１】
ファームウエアやソフトウェアによる具現の場合、本発明の一実施例は、以上で説明した機能又は動作を行うモジュール、過程、関数などの形態で具現することができる。ソフトウェアコードは、メモリユニットに格納されて、プロセッサによって駆動可能である。前記メモリユニットは、前記プロセッサの内部又は外部に位置し、既に公示となった多様な手段により前記プロセッサとデータを交換することができる。
【０２４２】
本発明は、本発明の特徴を逸脱しない範囲で他の特定の形態に具体化できることは、当業者にとって自明である。したがって、上記の詳細な説明は、全ての面において制限的に解釈されてはならず、例示的なものとして考慮しなければならない。本発明の範囲は、添付の請求項の合理的な解釈によって決定しなければならず、本発明の等価的範囲内での全ての変更は本発明の範囲に含まれる。
【産業上の利用可能性】
【０２４３】
本発明は無線移動通信システムの端末機、基地局、又はその他の装備に使われることができる。具体的に、本発明は、上りリンク制御情報を送信する方法及びそのための装置に適用可能である。
【図１】
2020074508.tif 000025
【図２】
2020074508.tif 000026
【図３】
2020074508.tif 000027
【図４】
2020074508.tif 000028
【図５】
2020074508.tif 000029
【図６】
2020074508.tif 000030
【図７】
2020074508.tif 000031
【図８】
2020074508.tif 000032
【図９】
2020074508.tif 000033
【図１０】
2020074508.tif 000034
【図１１】
2020074508.tif 000035
【図１２】
2020074508.tif 000036
【図１３】
2020074508.tif 000037
【図１４】
2020074508.tif 000038
【図１５】
2020074508.tif 000039
【図１６】
2020074508.tif 000040
【図１７】
2020074508.tif 000041
【図１８】
2020074508.tif 000042
【図１９】
2020074508.tif 000043
【図２０】
2020074508.tif 000044